(57)【特許請求の範囲】
【請求項１】
多数接続通信方法であって、
端末により、２次基地局と前記端末との間の無線インタフェースの異なる論理チャネルを介して、無線リソース制御ＲＲＣメッセージを前記２次基地局から受信するステップであって、前記ＲＲＣメッセージは、マスタ基地局のＲＲＣエンティティにより生成された第１ＲＲＣメッセージと、前記２次基地局のＲＲＣエンティティにより生成された第２ＲＲＣメッセージと、を含む、ステップと、
前記端末により、前記異なる論理チャネルに基づき、ＲＲＣメッセージを生成した目標ＲＲＣエンティティを識別するステップと、
を含み、
前記目標ＲＲＣエンティティは、前記マスタ基地局の前記ＲＲＣエンティティ又は前記２次基地局の前記ＲＲＣエンティティであり、前記マスタ基地局及び前記２次基地局は、異なる無線アクセス技術を用い、
前記方法は、
前記端末により、第１シグナリング無線ベアラＳＲＢの構成情報を前記２次基地局から受信するステップと、
前記端末により、第２ＳＲＢの構成情報を前記２次基地局から受信するステップと、
を更に含み、前記第１ＳＲＢは前記第１ＲＲＣメッセージを送信するために使用され、前記第２ＳＲＢは前記第２ＲＲＣメッセージを送信するために使用される、方法。
【請求項２】
前記端末により、前記第１ＳＲＢの前記構成情報を前記２次基地局から受信するステップは、
前記端末により、前記第１ＳＲＢの前記構成情報を前記２次基地局から前記マスタ基地局を介して受信するステップを含み、
前記端末により、前記第２ＳＲＢの前記構成情報を前記２次基地局から受信するステップは、
前記端末により、前記第２ＳＲＢの前記構成情報を前記２次基地局から前記マスタ基地局を介して受信するステップを含む、
請求項１に記載の方法。
【請求項３】
前記第１ＳＲＢの前記構成情報を前記２次基地局から前記マスタ基地局を介して受信するステップは、前記第１ＳＲＢの前記構成情報を、前記２次基地局から、前記２次基地局と前記マスタ基地局との間のインタフェース及び前記マスタ基地局と前記端末との間のインタフェースを介して受信するステップを含み、
前記第２ＳＲＢの前記構成情報を前記２次基地局から前記マスタ基地局を介して受信するステップは、前記第２ＳＲＢの前記構成情報を、前記２次基地局から、前記２次基地局と前記マスタ基地局との間の前記インタフェース及び前記マスタ基地局と前記端末との間の前記インタフェースを介して受信するステップを含む、
請求項２に記載の方法。
【請求項４】
端末の通信機器であって、
２次基地局と前記端末との間の無線インタフェースの異なる論理チャネルを介して、無線リソース制御ＲＲＣメッセージを前記２次基地局から受信する手段であって、前記ＲＲＣメッセージは、マスタ基地局のＲＲＣエンティティにより生成された第１ＲＲＣメッセージと、前記２次基地局のＲＲＣエンティティにより生成された第２ＲＲＣメッセージと、を含む、手段と、
前記異なる論理チャネルに基づき、ＲＲＣメッセージを生成した目標ＲＲＣエンティティを識別する手段と、
を含み、
前記目標ＲＲＣエンティティは、前記マスタ基地局の前記ＲＲＣエンティティ又は前記２次基地局の前記ＲＲＣエンティティであり、前記マスタ基地局及び前記２次基地局は、異なる無線アクセス技術を用い、
前記通信機器は、
第１シグナリング無線ベアラＳＲＢの構成情報を前記２次基地局から受信する手段と、
第２ＳＲＢの構成情報を前記２次基地局から受信する手段と、
を更に含み、
前記第１ＳＲＢは前記第１ＲＲＣメッセージを送信するために使用され、前記第２ＳＲＢは前記第２ＲＲＣメッセージを送信するために使用される、通信機器。
【請求項５】
前記第１ＳＲＢの構成情報を前記２次基地局から受信する前記手段は、前記第１ＳＲＢの前記構成情報を前記２次基地局から前記マスタ基地局を介して受信する手段を更に含み、
前記第２ＳＲＢの前記構成情報を前記２次基地局から受信する前記手段は、前記第２ＳＲＢの前記構成情報を前記２次基地局から前記マスタ基地局を介して受信する手段を更に含む、
請求項４に記載の通信機器。
【請求項６】
前記第１ＳＲＢの前記構成情報を前記２次基地局から前記マスタ基地局を介して受信する前記手段は、前記第１ＳＲＢの前記構成情報を、前記２次基地局から、前記２次基地局と前記マスタ基地局との間のインタフェース及び前記マスタ基地局と前記端末との間のインタフェースを介して受信する手段を更に含み、
前記第２ＳＲＢの前記構成情報を前記２次基地局から前記マスタ基地局を介して受信する前記手段は、前記第２ＳＲＢの前記構成情報を、前記２次基地局から、前記２次基地局と前記マスタ基地局との間の前記インタフェース及び前記マスタ基地局と前記端末との間の前記インタフェースを介して受信する手段を更に含む、
請求項５に記載の通信機器。
【請求項７】
多数接続通信方法であって、
２次基地局により、マスタ基地局のＲＲＣエンティティにより生成された第１無線リソース制御ＲＲＣメッセージを受信するステップと、
前記２次基地局により、第２ＲＲＣメッセージを前記２次基地局のＲＲＣエンティティにより生成するステップと、
異なる論理チャネルに基づき、ＲＲＣメッセージを生成した目標ＲＲＣエンティティを識別するために、前記２次基地局により、前記第１ＲＲＣメッセージ及び前記第２ＲＲＣメッセージを、端末へ、前記２次基地局と前記端末との間の無線インタフェースの２つの異なる論理チャネルを介して送信するステップと、
を含み、
前記目標ＲＲＣエンティティは、前記マスタ基地局の前記ＲＲＣエンティティ又は前記２次基地局の前記ＲＲＣエンティティであり、前記マスタ基地局及び前記２次基地局は、異なる無線アクセス技術を用い、
前記方法は、
前記２次基地局により、前記２つの異なる論理チャネルに対応する２つの異なるシグナリング無線ベアラＳＲＢを確立するステップであって、前記２つの異なるＳＲＢは第１ＳＲＢ及び第２ＳＲＢを含み、前記第１ＳＲＢは前記第１ＲＲＣメッセージを送信するために使用され、前記第２ＳＲＢは前記第２ＲＲＣメッセージを送信するために使用される、ステップと、
前記２次基地局により、前記第１ＳＲＢの構成情報を前記端末へ送信するステップと、
前記２次基地局により、前記第２ＳＲＢの構成情報を前記端末へ送信するステップと、
を更に含む方法。
【請求項８】
前記２次基地局により、前記第１ＳＲＢの前記構成情報を前記端末へ送信するステップは、
前記２次基地局により、前記第１ＳＲＢの前記構成情報を前記端末へ前記マスタ基地局を介して送信するステップを含み、
前記２次基地局により、前記第２ＳＲＢの前記構成情報を前記端末へ送信するステップは、
前記２次基地局により、前記第２ＳＲＢの前記構成情報を前記端末へ前記マスタ基地局を介して送信するステップを含む、
請求項７に記載の方法。
【請求項９】
前記第１ＳＲＢの前記構成情報を前記端末へ前記マスタ基地局を介して送信するステップは、前記第１ＳＲＢの前記構成情報を、前記端末へ、前記２次基地局と前記マスタ基地局との間のインタフェース及び前記マスタ基地局と前記端末との間のインタフェースを介して送信するステップを含み、
前記第２ＳＲＢの前記構成情報を前記端末へ前記マスタ基地局を介して送信するステップは、前記第２ＳＲＢの前記構成情報を、前記端末へ、前記２次基地局と前記マスタ基地局との間の前記インタフェース及び前記マスタ基地局と前記端末との間の前記インタフェースを介して送信するステップを含む、
請求項８に記載の方法。
【請求項１０】
２次基地局の通信機器であって、
マスタ基地局のＲＲＣエンティティにより生成された第１無線リソース制御ＲＲＣメッセージを受信する手段と、
第２ＲＲＣメッセージを前記２次基地局のＲＲＣエンティティにより生成する手段と、
異なる論理チャネルに基づき、ＲＲＣメッセージを生成した目標ＲＲＣエンティティを識別するために、前記第１ＲＲＣメッセージ及び前記第２ＲＲＣメッセージを、端末へ、前記２次基地局と前記端末との間の無線インタフェースの２つの異なる論理チャネルを介して送信する手段と、
を含み、
前記目標ＲＲＣエンティティは、前記マスタ基地局の前記ＲＲＣエンティティ又は前記２次基地局の前記ＲＲＣエンティティであり、前記マスタ基地局及び前記２次基地局は、異なる無線アクセス技術を用い、
前記通信機器は、
前記２つの異なる論理チャネルに対応する２つの異なるシグナリング無線ベアラＳＲＢを確立する手段であって、前記２つの異なるＳＲＢは第１ＳＲＢ及び第２ＳＲＢを含み、前記第１ＳＲＢは前記第１ＲＲＣメッセージを送信するために使用され、前記第２ＳＲＢは前記第２ＲＲＣメッセージを送信するために使用される、手段と、
前記第１ＳＲＢの構成情報を前記端末へ送信する手段と、
前記第２ＳＲＢの構成情報を前記端末へ送信する手段と、
を更に含む通信機器。
【請求項１１】
前記第１ＳＲＢの前記構成情報を前記端末へ送信する前記手段は、前記第１ＳＲＢの前記構成情報を前記端末へ前記マスタ基地局を介して送信する手段を更に含み、
前記第２ＳＲＢの前記構成情報を前記端末へ送信する前記手段は、前記第２ＳＲＢの前記構成情報を前記端末へ前記マスタ基地局を介して送信する手段を更に含む、
請求項１０に記載の通信機器。
【請求項１２】
前記第１ＳＲＢの前記構成情報を前記端末へ前記マスタ基地局を介して送信する前記手段は、前記第１ＳＲＢの前記構成情報を、前記端末へ、前記２次基地局と前記マスタ基地局との間のインタフェース及び前記マスタ基地局と前記端末との間のインタフェースを介して送信する手段を更に含み、
前記第２ＳＲＢの前記構成情報を前記端末へ前記マスタ基地局を介して送信する前記手段は、前記第２ＳＲＢの前記構成情報を、前記端末へ、前記２次基地局と前記マスタ基地局との間の前記インタフェース及び前記マスタ基地局と前記端末との間の前記インタフェースを介して送信する手段を更に含む、
請求項１１に記載の通信機器。
【請求項１３】
機器であって、少なくとも１つのメモリに結合された少なくとも１つのプロセッサを含み、前記少なくとも１つのプロセッサは、前記少なくとも１つのメモリに格納された命令を実行して、端末装置に請求項１乃至３のいずれか一項に記載の方法を実施させるよう構成される、機器。
【請求項１４】
機器であって、少なくとも１つのメモリに結合された少なくとも１つのプロセッサを含み、前記少なくとも１つのプロセッサは、前記少なくとも１つのメモリに格納された命令を実行して、２次基地局に請求項７乃至９のいずれか一項に記載の方法を実施させるよう構成される、機器。
【請求項１５】
格納されたプログラムを有するコンピュータ可読記憶媒体であって、前記プログラムは、請求項１乃至３のいずれか一項又は請求項７乃至９のいずれか一項に記載の方法を実行するための命令を含む、コンピュータ可読記憶媒体。
【請求項１６】
通信システムであって、請求項７乃至９のいずれか一項に記載の方法を実施するよう構成されるマスタ基地局と２次基地局とを含む通信システム。
【請求項１７】
前記通信システムは、請求項１乃至３のいずれか一項に記載の方法を実施するよう構成される端末を更に含む、請求項１６に記載の通信システム。
【発明の詳細な説明】
【技術分野】
【０００１】
［関連出願］
本願は、参照により全体がここに組み込まれる中国特許出願番号２０１７１００１１３５５.４、２０１７年１月６日に中国国家知識産権局に出願、名称「MULTI−CONNECTIVITY  COMMUNICATION  METHOD,  DEVICE,  AND  TERMINAL」の優先権を主張する。
【０００２】
［技術分野］
本発明の実施形態は、通信技術に関し、特に多数接続通信方法、装置、及び端末に関する。
【背景技術】
【０００３】
ユーザ要件及び技術が急速に発展するにつれ、第５世代移動体通信（the  ５th  Generation  mobile  communications  technology、略称：５G）システム又は新無線アクセス技術（NR、New  Radio）が出現してきている。５Ｇシステム又はＮＲシステムは、ロングタームエボリューション（Long  Term  Evolution、略称：LTE）ネットワークより高い送信レートを提供でき、５Ｇシステム又はＮＲシステムの最高理論上送信レートは、数十ギガバイト（Gigabyte、略称：Gb）毎秒に達し得る。データ送信レートを増大するために、５Ｇシステムは、多数接続送信方法を提供する。つまり、端末は、ＬＴＥネットワーク及び５Ｇシステムの両方にアクセスしてよく、端末のデータは、ＬＴＥネットワークの基地局及び５Ｇシステムの基地局の両方を用いて送信される。しかしながら、既存の多数接続ソリューションでは、データ分割アンカーはＬＴＥネットワークにある。つまり、ＬＴＥネットワークの基地局がマスタ基地局であり、ＮＲネットワークの基地局は２次基地局である。マスタ基地局は幾らかのデータを分割し、該データを端末へ２次基地局を用いて送信し、該データは、基本的にＬＴＥネットワークを用いて送信される。ＬＴＥネットワークのみでのデータ送信と比べて、既存の多数接続ソリューションは、データ送信レートも増大できるが、５Ｇシステムのデータ送信レートの利点を利用できない。
【０００４】
現在、ＬＴＥ−ＮＲ多数接続技術（LTE−NR  tight  interworking）の２つの主要な研究が標準において議論されている。一方の研究は、ＲＲＣ  ｄｉｖｅｒｓｉｔｙと呼ばれる無線リソース制御（RRC、Radio  Resource  Control）ダイバーシチである。他方の研究は、新無線アクセス技術基地局又は５Ｇ基地局が２次基地局としてサービスするとき、新無線アクセス技術基地局又は５Ｇ基地局（NR  gNB）によりＲＲＣメッセージを直接生成し、ＲＲＣメッセージを端末へ、ＮＲ無線インタフェースを介して送信することである。これは、ｄｉｒｅｃｔ  ＲＲＣメッセージ（direct  RRC  message）と呼ばれる。
【０００５】
図１及び図２は、従来のＬＴＥ−ＮＲ多数接続技術ネットワークの概略アーキテクチャ図である。ＬＴＥ−ＮＲ多数接続技術ネットワークは、ＬＴＥコアネットワーク（EPC、E−UTRAN  packet  core）、新コアネットワーク（NGC、NG−core）、ＬＴＥ基地局（eNB）、及び新無線アクセス技術基地局（NR  gNB）を含む。新無線アクセス技術は５Ｇであってよい。アンカー基地局がＬＴＥ  ｅＮＢである場合、対応する２次基地局はＮＲ  ｇＮＢである。同様に、アンカー基地局がＮＲ  ｇＮＢである場合、対応する２次基地局はＬＴＥ  ｅＮＢである。
【０００６】
ＬＴＥ  ｅＮＢがアンカー基地局である場合、プロトコルスタック構造は図３に示され、３Ｃ及び１Ａをサポートする。図１に示すように、３Ｃ（split  bearer）では、ＬＴＥ  ｅＮＢはアンカーとして使用され、データはパケットデータコンバージェンスプロトコル（PDCP、Packet  Data  Convergence  Protocol）レイヤからｇＮＢに分割され、制御プレーン（Control  Plane、CP）及びユーザプレーン（User  Plane、UP）の両方がＬＴＥ  ｅＮＢにあり、１Ａ（SCG  bearer）では、制御プレーンはＬＴＥ  ｅＮＢにあり、ユーザプレーンはＥＰＣとｇＮＢとの間にある。
【０００７】
ＮＲ  ｇＮＢがアンカー基地局であると仮定すると、ネットワークアーキテクチャは図２に示され、プロトコルスタック構造は図４に示される。
【０００８】
ＬＴＥ−ＮＲ多数接続技術（LTE−NR  tight  interworking/LTE−NR  DC）は以下の通りである。端末はＬＴＥを介してアクセスを実行し、制御プレーンがＬＴＥにおいて予約され、次に、ユーザプレーン（User  Plane、UP）は、ＬＴＥ  ＤＣ（dual−connectivity）と同様の方法でＬＴＥ及び５Ｇ新無線の両方を使用する。つまり、ユーザプレーンは、ＬＴＥパケットデータコンバージェンスプロトコル（Packet  Data  Convergence  Protocol、PDCP）レイヤにアンカーされて、データをデータパケット又はベアラ毎に分割する。同様に、端末は、代替として、５Ｇを用いてアクセスを実行してよく、制御プレーンが５Ｇにおいて予約され、ユーザプレーンは、ＬＴＥ  ＤＣと同様の方法で５Ｇ  ＰＤＣＰレイヤにアンカーされて、データを分割する。
【０００９】
超高信頼且つ低遅延通信（URLLC、Ultra−Reliable  and  Low  Latency  Communications）サービス要件を満たすために、及びＬＴＥ−ＮＲ多数接続シナリオにおいてＲＲＣメッセージ送信信頼性を向上するために、アンカー基地局がＬＴＥ  ｅＮＢである場合、アンカー基地局（MeNB）により生成されたＲＲＣメッセージは、ＬＴＥ無線インタフェース及びＮＲ無線インタフェースを介して端末へ別個に送信されてよい。ＲＲＣメッセージがＮＲ無線インタフェースを介して端末へ送信されるとき、ＲＲＣメッセージは、ＬＴＥとＮＲとの間のインタフェースを介してＮＲ  ｇＮＢへ送信される必要がある、次にＮＲ  ｇＮＢにより端末へ送信される。シグナリングメッセージを受信した後に、端末のＮＲモジュールは、処理のためにシグナリングメッセージをＬＴＥモジュールに集める。
【００１０】
ＬＴＥ−ＮＲ多数接続シナリオでは、ＮＲは、自身のＲＲＣエンティティを有してよく、ＲＲＣエンティティは、ＲＲＣメッセージを直接生成し端末へ送信してよい。つまり、マルチストリームコンバージェンスデータ送信を実行するために、ＮＲ  ｇＮＢがＬＴＥ  ｅＮＢに追加された後に、ＮＲ  ｇＮＢが構成を変更する必要がある場合、ＮＲ  ｇＮＢは、ＲＲＣ構成メッセージを直接生成し、ＲＲＣ構成メッセージをＮＲ無線インタフェースを介して端末へ送信する。
【００１１】
２つの技術の場合に、ＮＲは自身のＲＲＣエンティティを有し、直接ＲＲＣメッセージを送信でき、及びＮＲがＲＲＣ  ｄｉｖｅｒｓｉｔｙをサポートするので、現在、ＮＲ無線インタフェースのＲＲＣメッセージをどのように送信するか、及び受信端がＲＲＣメッセージをどのように識別するかの技術的ソリューションが存在しない。
【発明の概要】
【００１２】
本発明の実施形態は、ＮＲが自身のＲＲＣエンティティを有し且つＬＴＥ−ＮＲ多数接続技術シナリオにおいてＲＲＣ  ｄｉｖｅｒｓｉｔｙをサポートするとき、２次基地局がＲＲＣメッセージをどのように送信するか、及びどのように端末がＲＲＣメッセージを識別するか、という問題が解決するために、多数接続通信方法、装置、及び端末を提供する。
【００１３】
本発明の第１の態様によると、多数接続通信方法であって、
２次基地局により、アンカー基地局のＲＲＣエンティティにより生成された第１ＲＲＣメッセージを受信し、前記２次基地局のＲＲＣエンティティにより、第２ＲＲＣメッセージを生成するステップと、
前記２次基地局により、前記第１ＲＲＣメッセージ及び前記第２ＲＲＣメッセージを、端末へ、前記２次基地局と前記端末との間の無線インタフェースを介して送信するステップであって、パケットデータコンバージェンスプロトコル（PDCP、Packet  Data  Convergence  Protocol）ヘッダ、無線リンク制御（RLC、Radio  Link  Control）ヘッダ、又は新たに追加されたアダプテーションレイヤは指示情報を伝達し、前記指示情報はＲＲＣメッセージを生成した目標ＲＲＣエンティティを示すために使用される、ステップと、を含み、
前記目標ＲＲＣエンティティは、前記アンカー基地局の前記ＲＲＣエンティティ又は前記２次基地局の前記ＲＲＣエンティティであり、前記アンカー基地局及び前記２次基地局は異なる無線アクセス技術を用いる、方法が提供される。
【００１４】
任意で、指示情報は、ＰＤＣＰヘッダ内の空きフィールドを用いて、又はＰＤＣＰヘッダに新しいフィールドを追加して、伝達される。
【００１５】
任意で、指示情報は、第１指示情報及び第２指示情報を含む。ここで、第１指示情報は、目標ＲＲＣエンティティがアンカー基地局のＲＲＣエンティティであることを示すために使用され、第２指示情報は、目標ＲＲＣエンティティが２次基地局のＲＲＣエンティティであることを示すために使用される。
【００１６】
任意で、第１指示情報は、アンカー基地局によりアンカー基地局のＰＤＣＰヘッダに追加され、アンカー基地局と２次基地局との間のインタフェースを介して２次基地局へ送信され、第２指示情報は、２次基地局により２次基地局のＰＤＣＰヘッダに追加される。
【００１７】
任意で、第１指示情報及び第２指示情報は、２次基地局により２次基地局のＲＬＣヘッダに追加される。
【００１８】
任意で、方法は、２次基地局により、第１指示情報とアンカー基地局のＲＲＣエンティティとの間の対応、及び第２指示情報と２次基地局のＲＲＣエンティティとの間の対応を、２次基地局と端末との間の無線インタフェースを介して端末へ送信するステップ、を更に含む。
【００１９】
任意で、第１指示情報は、アンカー基地局によりアンカー基地局の新たに追加されたアダプテーションレイヤに追加され、アンカー基地局と２次基地局との間のインタフェースを介して２次基地局へ送信され、第２指示情報は、２次基地局により２次基地局の新たに追加されたアダプテーションレイヤに追加される。
【００２０】
任意で、第１指示情報とアンカー基地局のＲＲＣエンティティとの間の対応は、アンカー基地局により、アンカー基地局と端末との間の無線インタフェースを介して端末へ送信され、方法は、２次基地局により、第２指示情報と２次基地局のＲＲＣエンティティとの間の対応を、２次基地局と端末との間の無線インタフェースを介して端末へ送信するステップ、を更に含む。
【００２１】
任意で、方法は、２次基地局により、アップリンク許可（ＵＬ  ｇｒａｎｔ）情報を、アンカー基地局と２次基地局との間のインタフェースを介してアンカー基地局へ送信するステップであって、その結果、アンカー基地局は、アンカー基地局のＲＲＣエンティティにより生成されたＲＲＣメッセージを端末へ送信し、アンカー基地局は、端末に、２次基地局へのＲＲＣ接続を確立するよう指示する、ステップ、を更に含む。
【００２２】
任意で、方法は、２次基地局により、アップリンク許可（ＵＬ  ｇｒａｎｔ）情報を含むランダムアクセス応答メッセージを端末へ送信して、端末が２次基地局へのＲＲＣ接続を確立することを示すステップ、を更に含む。
【００２３】
任意で、２次基地局は、アンカー基地局のＲＲＣエンティティにより生成されたＲＲＣメッセージを送信可能であり、２次基地局のＲＲＣエンティティにより生成されたＲＲＣメッセージを直接送信可能である。
【００２４】
本発明の第２の態様によると、多数接続通信方法であって、
２次基地局により、アンカー基地局のＲＲＣエンティティにより生成された第１ＲＲＣメッセージを受信し、前記２次基地局のＲＲＣエンティティにより、第２ＲＲＣメッセージを生成するステップと、
前記２次基地局により、前記第１ＲＲＣメッセージ及び前記第２ＲＲＣメッセージを、端末へ、前記２次基地局と前記端末との間の無線インタフェースを介して送信するステップであって、前記端末がＲＲＣコンテナ（ＲＲＣ  ｃｏｎｔａｉｎｅｒ）からの前記第１ＲＲＣメッセージをパースして出すとき、前記第１ＲＲＣメッセージが前記アンカー基地局の前記ＲＲＣエンティティにより生成されたことを決定するために、前記第１ＲＲＣメッセージは、前記２次基地局により前記ＲＲＣ  ｃｏｎｔａｉｎｅｒにカプセル化される、ステップと、を含み、
前記アンカー基地局及び前記２次基地局は異なる無線アクセス技術を用いる、方法が提供される。
【００２５】
本発明の第３の態様によると、多数接続通信方法であって、
２次基地局により、アンカー基地局のＲＲＣエンティティにより生成された第１ＲＲＣメッセージを受信し、前記２次基地局のＲＲＣエンティティにより、第２ＲＲＣメッセージを生成するステップと、
前記２次基地局により、前記第１ＲＲＣメッセージ及び前記第２ＲＲＣメッセージを、端末へ、前記２次基地局と前記端末との間の無線インタフェースの２つの異なる論理チャネルを介して送信するステップであって、その結果、前記端末は、前記異なる論理チャネルに基づき、ＲＲＣメッセージを生成した目標ＲＲＣエンティティを区別する、ステップと、を含み、
前記目標ＲＲＣエンティティは、前記アンカー基地局の前記ＲＲＣエンティティ又は前記２次基地局の前記ＲＲＣエンティティであり、前記アンカー基地局及び前記２次基地局は、異なる無線アクセス技術を用いる、方法が提供される。
【００２６】
任意で、前記方法は、
前記２次基地局により、前記２つの異なる論理チャネルに対応する２つの異なるＳＲＢを確立するステップと、
前記２次基地局により、前記２つの異なるＳＲＢの構成情報と相応して前記ＲＲＣメッセージを生成する前記ＲＲＣエンティティとの間の対応を前記端末へ送信するステップと、を更に含む。
【００２７】
任意で、２つの異なるＳＲＢは第１ＳＲＢ及び第２ＳＲＢを含み、第１ＳＲＢは第１ＲＲＣメッセージを送信するために使用され、第２ＳＲＢは第２ＲＲＣメッセージを送信するために使用され、
２次基地局により、２つの異なるＳＲＢの構成情報と相応してＲＲＣメッセージを生成するＲＲＣエンティティとの間の対応を端末へ送信するステップは、具体的に、
２次基地局により、第１ＳＲＢの構成情報とアンカー基地局のＲＲＣエンティティとの間の対応を、アンカー基地局へ、アンカー基地局と２次基地局との間のインタフェースを介して送信するステップであって、その結果、アンカー基地局は、対応を、端末へ、アンカー基地局と端末との間の無線インタフェースを介して送信する、ステップと、
２次基地局により、第２ＳＲＢの構成情報と２次基地局のＲＲＣエンティティとの間の対応を、端末へ、２次基地局と端末との間の無線インタフェースを介して送信するステップと、を含む。
【００２８】
本発明の第４の態様によると、多数接続通信方法であって、
端末により、２次基地局と前記端末との間の無線インタフェースを介して、前記２次基地局により送信されたＲＲＣメッセージを受信するステップであって、前記ＲＲＣメッセージは、アンカー基地局のＲＲＣエンティティにより生成された第１ＲＲＣメッセージと、前記２次基地局のＲＲＣエンティティにより生成された第２ＲＲＣメッセージと、を含む、ステップと、
前記端末により、前記ＲＲＣメッセージをパースするとき、ＰＤＣＰヘッダ、ＲＬＣヘッダ、又は新たに追加されたアダプテーションレイヤから指示情報を取得するステップであって、前記指示情報は、ＲＲＣメッセージを生成した目標ＲＲＣエンティティを示すために使用される、ステップと、
前記指示情報に基づき、前記ＲＲＣメッセージを生成する前記目標ＲＲＣエンティティを決定するステップの後に、前記端末により、前記受信したＲＲＣメッセージを処理のために対応するＲＲＣモジュールに渡すステップと、を含み、
前記目標ＲＲＣエンティティは、前記アンカー基地局の前記ＲＲＣエンティティ又は前記２次基地局の前記ＲＲＣエンティティであり、前記アンカー基地局及び前記２次基地局は、異なる無線アクセス技術を用いる、方法が提供される。
【００２９】
任意で、指示情報は、ＰＤＣＰヘッダ内の空きフィールドを用いて、又はＰＤＣＰヘッダに新しいフィールドを追加して、伝達される。
【００３０】
任意で、指示情報は、第１指示情報及び第２指示情報を含む。ここで、第１指示情報は、目標ＲＲＣエンティティがアンカー基地局のＲＲＣエンティティであることを示すために使用され、第２指示情報は、目標ＲＲＣエンティティが２次基地局のＲＲＣエンティティであることを示すために使用される。
【００３１】
任意で、第１指示情報は、アンカー基地局によりアンカー基地局のＰＤＣＰヘッダに追加され、アンカー基地局と２次基地局との間のインタフェースを介して２次基地局へ送信され、第２指示情報は、２次基地局により２次基地局のＰＤＣＰヘッダに追加される。
【００３２】
任意で、第１指示情報及び第２指示情報は、２次基地局により２次基地局のＲＬＣヘッダに追加される。
【００３３】
任意で、方法は、端末により、２次基地局と端末との間の無線インタフェースを介して、第１指示情報とアンカー基地局のＲＲＣエンティティとの間の対応、及び第２指示情報と２次基地局のＲＲＣエンティティとの間の対応を受信するステップであって、対応は２次基地局により送信される、ステップ、を更に含む。
【００３４】
任意で、第１指示情報は、アンカー基地局により、アンカー基地局の新たに追加されたアダプテーションレイヤに追加され、アンカー基地局と２次基地局との間のインタフェースを介して２次基地局へ送信され、次に２次基地局により、端末へ、２次基地局と端末との間の無線インタフェースを介して送信され、第２指示情報は、２次基地局により２次基地局の新たに追加されたアダプテーションレイヤに追加され、次に２次基地局により、端末へ、２次基地局と端末との間の無線インタフェースを介して送信される。
【００３５】
任意で、第１指示情報とアンカー基地局のＲＲＣエンティティとの間の対応は、アンカー基地局により、アンカー基地局と端末との間の無線インタフェースを介して端末へ送信され、方法は、端末により、２次基地局と端末との間の無線インタフェースを介して、第２指示情報と２次基地局のＲＲＣエンティティとの間の且つ２次基地局により送信された対応を受信するステップ、を更に含む。
【００３６】
任意で、２次基地局は、アンカー基地局のＲＲＣエンティティにより生成されたＲＲＣメッセージを送信可能であり、２次基地局のＲＲＣエンティティにより生成されたＲＲＣメッセージを直接送信可能である。
【００３７】
本発明の第５の態様によると、多数接続通信方法であって、
端末により、２次基地局と前記端末との間の無線インタフェースを介して、前記２次基地局により送信されたＲＲＣメッセージを受信するステップであって、前記ＲＲＣメッセージは、アンカー基地局のＲＲＣエンティティにより生成された第１ＲＲＣメッセージと、前記２次基地局のＲＲＣエンティティにより生成された第２ＲＲＣメッセージと、を含む、ステップと、
前記端末が、前記ＲＲＣメッセージをパースするとき、ＲＲＣコンテナ（ＲＲＣ  ｃｏｎｔａｉｎｅｒ）からＲＲＣメッセージをパースして出す場合、前記端末により、前記ＲＲＣ  ｃｏｎｔａｉｎｅｒからパースして出された前記ＲＲＣメッセージが、前記アンカー基地局の前記ＲＲＣエンティティにより生成された前記第１ＲＲＣメッセージであると決定するステップと、を含み、
前記アンカー基地局及び前記２次基地局は、異なる無線アクセス技術を用いる、方法が提供される。
【００３８】
本発明の第６の態様によると、多数接続通信方法であって、
端末により、２次基地局と前記端末との間の無線インタフェースの異なる論理チャネルを介して、前記２次基地局により送信されたＲＲＣメッセージを受信するステップであって、前記ＲＲＣメッセージは、アンカー基地局のＲＲＣエンティティにより生成された第１ＲＲＣメッセージと、前記２次基地局のＲＲＣエンティティにより生成された第２ＲＲＣメッセージと、を含む、ステップと、
前記端末により、前記異なる論理チャネルに基づき、ＲＲＣメッセージを生成した目標ＲＲＣエンティティを区別するステップと、を含み、
前記目標ＲＲＣエンティティは、前記アンカー基地局の前記ＲＲＣエンティティ又は前記２次基地局の前記ＲＲＣエンティティであり、前記アンカー基地局及び前記２次基地局は、異なる無線アクセス技術を用いる、方法が提供される。
【００３９】
任意で、方法は、端末により、２つの異なるＳＲＢの構成情報を受信するステップであって、２つの異なるＳＲＢの構成情報は、２つの異なる論理チャネルに対応し、ＳＲＢの構成情報と相応してＲＲＣメッセージを生成するＲＲＣエンティティとの間の対応を含む、ステップを更に含む。
【００４０】
任意で、前記２つの異なるＳＲＢは第１ＳＲＢ及び第２ＳＲＢを含み、前記第１ＳＲＢは前記第１ＲＲＣメッセージを送信するために使用され、前記第２ＳＲＢは前記第２ＲＲＣメッセージを送信するために使用され、
前記第１ＳＲＢの構成情報と前記アンカー基地局の前記ＲＲＣエンティティとの間の対応は、前記２次基地局により前記アンカー基地局へ、前記アンカー基地局と前記２次基地局との間のインタフェースを介して送信され、前記方法は、
前記端末により、前記第１ＳＲＢの前記構成情報と前記アンカー基地局の前記ＲＲＣエンティティとの間のものであり且つ前記アンカー基地局により前記アンカー基地局と前記端末との間の無線インタフェースを介して送信される対応を受信するステップと、
前記端末により、前記第２ＳＲＢの構成情報と前記２次基地局の前記ＲＲＣエンティティとの間のものであり且つ前記２次基地局により前記２次基地局と前記端末との間の前記無線インタフェースを介して送信される対応を受信するステップと、を更に含む。
【００４１】
本発明の第７の態様によると、多数接続２次基地局であって、
アンカー基地局のＲＲＣエンティティにより生成された第１ＲＲＣメッセージを受信するよう構成される受信機と、
第２ＲＲＣメッセージを生成するよう構成されるＲＲＣエンティティと、
前記第１ＲＲＣメッセージ及び前記第２ＲＲＣメッセージを、端末へ、前記２次基地局と前記端末との間の無線インタフェースを介して送信するよう構成される送信機であって、ＰＤＣＰヘッダ、ＲＬＣヘッダ、又は新たに追加されたアダプテーションレイヤは指示情報を伝達し、前記指示情報はＲＲＣメッセージを生成した目標ＲＲＣエンティティを示すために使用される、送信機と、を含み、
前記目標ＲＲＣエンティティは、前記アンカー基地局の前記ＲＲＣエンティティ又は前記２次基地局の前記ＲＲＣエンティティであり、前記アンカー基地局及び前記２次基地局は異なる無線アクセス技術を用いる、２次基地局が提供される。
【００４２】
任意で、指示情報は、ＰＤＣＰヘッダ内の空きフィールドを用いて、又はＰＤＣＰヘッダに新しいフィールドを追加して、伝達される。
【００４３】
任意で、指示情報は、第１指示情報及び第２指示情報を含む。ここで、第１指示情報は、目標ＲＲＣエンティティがアンカー基地局のＲＲＣエンティティであることを示すために使用され、第２指示情報は、目標ＲＲＣエンティティが２次基地局のＲＲＣエンティティであることを示すために使用される。
【００４４】
任意で、第１指示情報は、アンカー基地局によりアンカー基地局のＰＤＣＰヘッダに追加され、アンカー基地局と２次基地局との間のインタフェースを介して２次基地局へ送信され、２次基地局は、２次基地局のＰＤＣＰヘッダに第２指示情報を追加するよう構成されるプロセッサを更に含む。
【００４５】
任意で、２次基地局は、第１指示情報及び第２指示情報を２次基地局のＲＬＣヘッダに追加するよう構成されるプロセッサを更に含む。
【００４６】
任意で、送信機は、第１指示情報とアンカー基地局のＲＲＣエンティティとの間の対応、及び第２指示情報と２次基地局のＲＲＣエンティティとの間の対応を、２次基地局と端末との間の無線インタフェースを介して端末へ送信するよう更に構成される。
【００４７】
任意で、第１指示情報は、アンカー基地局によりアンカー基地局の新たに追加されたアダプテーションレイヤに追加され、アンカー基地局と２次基地局との間のインタフェースを介して２次基地局へ送信され、２次基地局は、２次基地局の新たに追加されたアダプテーションレイヤに第２指示情報を追加するよう構成されるプロセッサを更に含む。
【００４８】
任意で、第１指示情報とアンカー基地局のＲＲＣエンティティとの間の対応は、アンカー基地局により、アンカー基地局と端末との間の無線インタフェースを介して端末へ送信され、送信機は、第２指示情報と２次基地局のＲＲＣエンティティとの間の対応を、２次基地局と端末との間の無線インタフェースを介して端末へ送信するよう更に構成される。
【００４９】
任意で、送信機は、アップリンク許可（ＵＬ  ｇｒａｎｔ）情報を、アンカー基地局と２次基地局との間のインタフェースを介してアンカー基地局へ送信するよう更に構成され、その結果、アンカー基地局は、アンカー基地局のＲＲＣエンティティにより生成されたＲＲＣメッセージを端末へ送信し、アンカー基地局は、端末に、２次基地局へのＲＲＣ接続を確立するよう指示する。
【００５０】
任意で、送信機は、アップリンク許可（ＵＬ  ｇｒａｎｔ）情報を含むランダムアクセス応答メッセージを端末へ送信して、端末が２次基地局へのＲＲＣ接続を確立することを示す、よう更に構成される。
【００５１】
任意で、２次基地局は、アンカー基地局のＲＲＣエンティティにより生成されたＲＲＣメッセージを送信可能であり、２次基地局のＲＲＣエンティティにより生成されたＲＲＣメッセージを直接送信可能である。
【００５２】
本発明の第８の態様によると、多数接続２次基地局であって、
アンカー基地局のＲＲＣエンティティにより生成された第１ＲＲＣメッセージを受信するよう構成される受信機と、
第２ＲＲＣメッセージを生成するよう構成されるＲＲＣエンティティと、
前記第１ＲＲＣメッセージ及び前記第２ＲＲＣメッセージを端末へ、前記２次基地局と前記端末との間の無線インタフェースを介して送信するよう構成される送信機と、
前記端末がＲＲＣコンテナ（RRC  container）から前記第１ＲＲＣメッセージをパースして出すとき、前記第１ＲＲＣメッセージが前記アンカー基地局の前記ＲＲＣエンティティにより生成されたことを決定するために、前記第１ＲＲＣメッセージをＲＲＣ  ｃｏｎｔａｉｎｅｒにカプセル化するよう構成されるプロセッサと、を含み、
前記アンカー基地局及び前記２次基地局は異なる無線アクセス技術を用いる、２次基地局が提供される。
【００５３】
本発明の第９の態様によると、多数接続２次基地局であって、
アンカー基地局のＲＲＣエンティティにより生成された第１ＲＲＣメッセージを受信するよう構成される受信機と、
第２ＲＲＣメッセージを生成するよう構成されるＲＲＣエンティティと、
前記第１ＲＲＣメッセージ及び前記第２ＲＲＣメッセージを、端末へ、前記２次基地局と前記端末との間の無線インタフェースの２つの異なる論理チャネルを介して送信するよう構成される送信機であって、その結果、前記端末は、前記異なる論理チャネルに基づき、ＲＲＣメッセージを生成した目標ＲＲＣエンティティを区別する、送信機と、を含み、
前記目標ＲＲＣエンティティは、前記アンカー基地局の前記ＲＲＣエンティティ又は前記２次基地局の前記ＲＲＣエンティティであり、前記アンカー基地局及び前記２次基地局は異なる無線アクセス技術を用いる、２次基地局が提供される。
【００５４】
任意で、２次基地局は、２つの異なる論理チャネルに対応する２つの異なるＳＲＢを確立するよう構成されるプロセッサを更に含む。
【００５５】
送信機は、２つの異なるＳＲＢの構成情報と相応してＲＲＣメッセージを生成するＲＲＣエンティティとの間の対応を、端末へ送信するよう更に構成される。
【００５６】
任意で、２つの異なるＳＲＢは、第１ＳＲＢ及び第２ＳＲＢを含み、第１ＳＲＢは第１ＲＲＣメッセージを送信するために使用され、第２ＳＲＢは第２ＲＲＣメッセージを送信するために使用される。
【００５７】
送信機は、第１ＳＲＢの構成情報とアンカー基地局のＲＲＣエンティティとの間の対応を、アンカー基地局へ、アンカー基地局と２次基地局との間のインタフェースを介して送信するよう更に構成され、その結果、アンカー基地局は、該対応を端末へ、アンカー基地局と端末との間の無線インタフェースを介して送信する。
【００５８】
送信機は、第２ＳＲＢの構成情報と２次基地局のＲＲＣエンティティとの間の対応を、端末へ、２次基地局と端末との間の無線インタフェースを介して送信するよう更に構成される。
【００５９】
本発明の第１０の態様によると、端末であって、
２次基地局と前記端末との間の無線インタフェースを介して、前記２次基地局により送信されたＲＲＣメッセージを受信するよう構成される受信機であって、前記ＲＲＣメッセージは、アンカー基地局のＲＲＣエンティティにより生成された第１ＲＲＣメッセージと、前記２次基地局のＲＲＣエンティティにより生成された第２ＲＲＣメッセージと、を含む、受信機と、
前記ＲＲＣメッセージをパースするとき、ＰＤＣＰヘッダ、ＲＬＣヘッダ、又は新たに追加されたアダプテーションレイヤから指示情報を取得し、前記指示情報は、ＲＲＣメッセージを生成した目標ＲＲＣエンティティを示すために使用され、前記指示情報に基づき、前記ＲＲＣメッセージを生成する前記目標ＲＲＣエンティティを決定した後に、前記受信したＲＲＣメッセージを処理のために対応するＲＲＣモジュールに渡すよう構成されるプロセッサと、を含み、
前記目標ＲＲＣエンティティは、前記アンカー基地局の前記ＲＲＣエンティティ又は前記２次基地局の前記ＲＲＣエンティティであり、前記アンカー基地局及び前記２次基地局は、異なる無線アクセス技術を用いる、端末が提供される。
【００６０】
任意で、指示情報は、ＰＤＣＰヘッダ内の空きフィールドを用いて、又はＰＤＣＰヘッダに新しいフィールドを追加して、伝達される。
【００６１】
任意で、指示情報は、第１指示情報及び第２指示情報を含む。ここで、第１指示情報は、目標ＲＲＣエンティティがアンカー基地局のＲＲＣエンティティであることを示すために使用され、第２指示情報は、目標ＲＲＣエンティティが２次基地局のＲＲＣエンティティであることを示すために使用される。
【００６２】
任意で、第１指示情報は、アンカー基地局によりアンカー基地局のＰＤＣＰヘッダに追加され、アンカー基地局と２次基地局との間のインタフェースを介して２次基地局へ送信され、第２指示情報は、２次基地局により２次基地局のＰＤＣＰヘッダに追加される。
【００６３】
任意で、第１指示情報及び第２指示情報は、２次基地局により２次基地局のＲＬＣヘッダに追加される。
【００６４】
任意で、受信機は、２次基地局と端末との間の無線インタフェースを介して、第１指示情報とアンカー基地局のＲＲＣエンティティとの間の対応、及び第２指示情報と２次基地局のＲＲＣエンティティとの間の対応を受信するよう更に構成され、対応は２次基地局により送信される。
【００６５】
任意で、第１指示情報は、アンカー基地局によりアンカー基地局の新たに追加されたアダプテーションレイヤに追加され、アンカー基地局と２次基地局との間のインタフェースを介して２次基地局へ送信され、第２指示情報は、２次基地局により２次基地局の新たに追加されたアダプテーションレイヤに追加される。受信機は、第１指示情報及び第２指示情報を、２次基地局から、２次基地局と端末との間の無線インタフェースを介して受信するよう更に構成される。
【００６６】
任意で、受信機は、２次基地局と端末との間の無線インタフェースを介して、第２指示情報と２次基地局のＲＲＣエンティティとの間の且つ２次基地局により送信された対応を受信するよう更に構成される。
【００６７】
任意で、２次基地局は、アンカー基地局のＲＲＣエンティティにより生成されたＲＲＣメッセージを送信可能であり、２次基地局のＲＲＣエンティティにより生成されたＲＲＣメッセージを直接送信可能である。
【００６８】
本発明の第１１の態様によると、端末であって、
２次基地局と前記端末との間の無線インタフェースを介して、前記２次基地局により送信されたＲＲＣメッセージを受信するよう構成される受信機であって、前記ＲＲＣメッセージは、アンカー基地局のＲＲＣエンティティにより生成された第１ＲＲＣメッセージと、前記２次基地局のＲＲＣエンティティにより生成された第２ＲＲＣメッセージと、を含む、受信機と、
前記ＲＲＣメッセージをパースするとき、ＲＲＣコンテナ（ＲＲＣ  ｃｏｎｔａｉｎｅｒ）からＲＲＣメッセージがパースして出される場合、前記ＲＲＣ  ｃｏｎｔａｉｎｅｒからパースして出された前記ＲＲＣメッセージが、前記アンカー基地局の前記ＲＲＣエンティティにより生成された前記第１ＲＲＣメッセージであると決定するよう構成されるプロセッサと、を含み、
前記アンカー基地局及び前記２次基地局は異なる無線アクセス技術を用いる、端末が提供される。
【００６９】
本発明の第１２の態様によると、端末であって、
２次基地局と前記端末との間の無線インタフェースの異なる論理チャネルを介して、前記２次基地局により送信されたＲＲＣメッセージを受信するよう構成される受信機であって、前記ＲＲＣメッセージは、アンカー基地局のＲＲＣエンティティにより生成された第１ＲＲＣメッセージと、前記２次基地局のＲＲＣエンティティにより生成された第２ＲＲＣメッセージと、を含む、受信機と、
前記異なる論理チャネルに基づき、ＲＲＣメッセージを生成した目標ＲＲＣエンティティを区別するよう構成されるプロセッサと、を含み、
前記目標ＲＲＣエンティティは、前記アンカー基地局の前記ＲＲＣエンティティ又は前記２次基地局の前記ＲＲＣエンティティであり、前記アンカー基地局及び前記２次基地局は、異なる無線アクセス技術を用いる、端末が提供される。
【００７０】
任意で、受信機は、２つの異なるＳＲＢの構成情報を受信するよう更に構成され、２つの異なるＳＲＢの構成情報は、２つの異なる論理チャネルに対応し、ＳＲＢの構成情報と相応してＲＲＣメッセージを生成するＲＲＣエンティティとの間の対応を含む。
【００７１】
任意で、２つの異なるＳＲＢは、第１ＳＲＢ及び第２ＳＲＢを含み、第１ＳＲＢは第１ＲＲＣメッセージを送信するために使用され、第２ＳＲＢは第２ＲＲＣメッセージを送信するために使用される。
【００７２】
第１ＳＲＢの構成情報とアンカー基地局のＲＲＣエンティティとの間の対応は、２次基地局によりアンカー基地局へ、アンカー基地局と２次基地局との間のインタフェースを介して送信される。受信機は、第１ＳＲＢの構成情報とアンカー基地局のＲＲＣエンティティとの間の且つアンカー基地局によりアンカー基地局と端末との間の無線インタフェースを介して送信された対応を受信するよう更に構成される。
【００７３】
受信機は、第２ＳＲＢの構成情報と２次基地局のＲＲＣエンティティとの間の且つ２次基地局により２次基地局と端末との間の無線インタフェースを介して送信された対応を受信するよう更に構成される。
【００７４】
上述の多数接続通信方法、装置、及び端末によると、ＮＲが自身のＲＲＣエンティティを有し且つＬＴＥ−ＮＲ多数接続技術シナリオにおいてＲＲＣ  ｄｉｖｅｒｓｉｔｙをサポートするとき、２次基地局がＲＲＣメッセージをどのように送信するか、及びどのように端末がＲＲＣメッセージを識別するか、という問題が解決される。
【図面の簡単な説明】
【００７５】
【図１】従来のＬＴＥ−ＮＲ多数接続技術ネットワークの概略アーキテクチャ図である。
【００７６】
【図２】従来の別のＬＴＥ−ＮＲ多数接続技術ネットワークの概略アーキテクチャ図である。
【００７７】
【図３】従来の、ＬＴＥ  ｅＮＢがアンカー基地局であるプロトコルスタックの概略構造図である。
【００７８】
【図４】従来の、ＮＲ  ｇＮＢがアンカー基地局であるプロトコルスタックの概略構造図である。
【００７９】
【図５】本発明の一実施形態による多数接続通信方法の概略フローチャートである。
【００８０】
【図６】本発明の別の実施形態による別の多数接続通信方法の概略フローチャートである。
【００８１】
【図７】本発明の別の実施形態による別の多数接続通信方法の概略フローチャートである。
【００８２】
【図８】本発明の別の実施形態による別の多数接続通信方法の概略フローチャートである。
【００８３】
【図９】本発明の別の実施形態による別の多数接続通信方法の概略フローチャートである。
【００８４】
【図１０】本発明の別の実施形態による２次基地局の概略構造図である。
【００８５】
【図１１】本発明の別の実施形態による別の２次基地局の概略構造図である。
【００８６】
【図１２】本発明の別の実施形態による別の２次基地局の概略構造図である。
【００８７】
【図１３】本発明の別の実施形態による端末の概略構造図である。
【００８８】
【図１４】本発明の別の実施形態による別の端末の概略構造図である。
【００８９】
【図１５】本発明の別の実施形態による別の端末の概略構造図である。
【００９０】
【図１６】本発明の一実施形態に適用可能な多数接続ネットワークアーキテクチャの概略図である。
【００９１】
【図１７】本発明の別の実施形態による別の多数接続通信方法の概略フローチャートである。
【発明を実施するための形態】
【００９２】
本発明の実施形態の目的、技術的ソリューション、及び利点をより明確にするために、以下に、本発明の実施形態における技術的ソリューションを本発明の実施形態における添付の図面を参照して明確且つ完全に記載する。明らかに、記載される実施形態は、本発明の実施形態の一部であり、全てではない。本発明の実施形態に基づき創造的労力を有しないで当業者により得られる全ての他の実施形態は、本発明の保護範囲に包含されるものとする。
【００９３】
本発明の一実施形態で提供される多数接続（multiple  connectivity）通信方法は、次の通りである。端末は、第１ネットワーク及び新無線アクセス技術（New  radio  access  technical、略称：New  RAT又はNR）ネットワークの両方にアクセスしてよく、第１ネットワークのアクセスネットワーク装置及び新無線アクセスネットワークのアクセスネットワーク装置は、同時に端末にサービスを提供できる。第１ネットワークは、ＬＴＥネットワーク、ワイヤレスフィデリティ（Wireless  Fidelity、略称：Wi−Fi）ネットワーク、グローバルシステムフォーモバイルコミュニケーションズ（Global  System  of  Mobile  Communications、略称：GSM）ネットワーク、符号分割多元接続（Code  Division  Multiple  Access、略称：CDMA）ネットワーク、又は広帯域符号分割多元接続（Wideband  Code  Division  Multiple  Access、略称：WCDMA）ネットワークのような、既存ネットワークであってよい。新無線アクセスネットワークは、ＬＴＥネットワークより高い送信レートを提供でき、５Ｇネットワーク、次世代ネットワーク、等とも呼ばれる。新無線アクセスネットワークのアクセスネットワーク装置は、ＮＲノード（node）又はＮＲ  ＢＳ（基地局、Base  Station）とも呼ばれる。これはここで限定されない。
【００９４】
本発明の本実施形態における多数接続は、具体的に次の通りである。端末は、第１ネットワークのコアネットワークに、第１ネットワークのアクセスネットワーク装置を用いてアクセスし、制御プレーン（Control  Plane、略称：CP）データは、第１ネットワーク上で送信され、ユーザプレーン（User  Plane、略称：UP）データは、第１ネットワークの無線インタフェース及び新無線アクセスネットワークの無線インタフェースの両方を介して送信される。ユーザプレーンは、新無線アクセスネットワークのアクセスネットワーク装置のパケットデータコンバージェンスプロトコル（Packet  Data  Convergence  Protocol、PDCP）レイヤにアンカーされ、データをデータパケット又はベアラ毎に分割する。
【００９５】
図５は、本発明の別の実施形態による多数接続通信方法の概略フローチャートである。本実施形態では、ＬＴＥ  ｅＮＢがアンカー基地局又はマスタ基地局（MeNB、master  eNB）である場合、ＮＲ  ｇＮＢは２次基地局（SgNB、Secondary  gNB）である。代替として、ＮＲ  ｇＮＢがアンカー基地局又はマスタ基地局（MgNB、Master  gNB）である場合、ＬＴＥ  ｅＮＢは２次基地局（SeNB、Secondary  eNB）である。主な説明は以下に与えられる。
【００９６】
ステップ５０１。２次基地局は、アンカー基地局のＲＲＣエンティティにより生成された第１ＲＲＣメッセージを受信し、２次基地局のＲＲＣエンティティは第２ＲＲＣメッセージを生成する。
【００９７】
ステップ５０２。２次基地局は、第１ＲＲＣメッセージ及び第２ＲＲＣメッセージを端末へ、２次基地局と端末との間の無線インタフェースを介して送信する。ここで、ＰＤＣＰヘッダ、ＲＬＣヘッダ、又は新たに追加されたアダプテーションレイヤは指示情報を伝達し、指示情報は、ＲＲＣメッセージを生成した目標ＲＲＣエンティティを示すために使用される。
【００９８】
目標ＲＲＣエンティティは、アンカー基地局のＲＲＣエンティティ又は２次基地局のＲＲＣエンティティであり、アンカー基地局及び２次基地局は、異なる無線アクセス技術を用いる。
【００９９】
任意で、指示情報は、ＰＤＣＰヘッダ内の空きフィールドを用いて、又はＰＤＣＰヘッダに新しいフィールドを追加して、伝達される。
【０１００】
任意で、指示情報は、第１指示情報及び第２指示情報を含む。ここで、第１指示情報は、目標ＲＲＣエンティティがアンカー基地局のＲＲＣエンティティであることを示すために使用され、第２指示情報は、目標ＲＲＣエンティティが２次基地局のＲＲＣエンティティであることを示すために使用される。
【０１０１】
任意で、第１指示情報は、アンカー基地局によりアンカー基地局のＰＤＣＰヘッダに追加され、アンカー基地局と２次基地局との間のインタフェースを介して２次基地局へ送信され、第２指示情報は、２次基地局により２次基地局のＰＤＣＰヘッダに追加される。
【０１０２】
任意で、第１指示情報及び第２指示情報は、２次基地局により２次基地局のＲＬＣヘッダに追加される。
【０１０３】
任意で、方法は、２次基地局により、第１指示情報とアンカー基地局のＲＲＣエンティティとの間の対応、及び第２指示情報と２次基地局のＲＲＣエンティティとの間の対応を、２次基地局と端末との間の無線インタフェースを介して端末へ送信するステップ、を更に含む。
【０１０４】
任意で、第１指示情報は、アンカー基地局によりアンカー基地局の新たに追加されたアダプテーションレイヤに追加され、アンカー基地局と２次基地局との間のインタフェースを介して２次基地局へ送信され、第２指示情報は、２次基地局により２次基地局の新たに追加されたアダプテーションレイヤに追加される。
【０１０５】
任意で、第１指示情報及び第２指示情報は、２次基地局により２次基地局の新たに追加されたアダプテーションレイヤに追加される。
【０１０６】
任意で、第１指示情報とアンカー基地局のＲＲＣエンティティとの間の対応は、アンカー基地局により、アンカー基地局と端末との間の無線インタフェースを介して端末へ送信され、方法は、２次基地局により、第２指示情報と２次基地局のＲＲＣエンティティとの間の対応を、２次基地局と端末との間の無線インタフェースを介して端末へ送信するステップ、を更に含む。
【０１０７】
任意で、方法は、２次基地局により、アップリンク許可（ＵＬ  ｇｒａｎｔ）情報を、アンカー基地局と２次基地局との間のインタフェースを介してアンカー基地局へ送信するステップであって、その結果、アンカー基地局は、アンカー基地局のＲＲＣエンティティにより生成されたＲＲＣメッセージを端末へ送信し、アンカー基地局は、端末に、２次基地局へのＲＲＣ接続を確立するよう指示する、ステップ、を更に含む。
【０１０８】
任意で、方法は、２次基地局により、アップリンク許可（ＵＬ  ｇｒａｎｔ）情報を含むランダムアクセス応答メッセージを端末へ送信して、端末が２次基地局へのＲＲＣ接続を確立することを示すステップ、を更に含む。
【０１０９】
任意で、２次基地局は、アンカー基地局のＲＲＣエンティティにより生成されたＲＲＣメッセージを送信可能であり、２次基地局のＲＲＣエンティティにより生成されたＲＲＣメッセージを直接送信可能である。
【０１１０】
図６は、本発明の別の実施形態による別の多数接続通信方法の概略フローチャートである。本実施形態では、ＬＴＥ  ｅＮＢがアンカー基地局又はマスタ基地局（MeNB、master  eNB）である場合、ＮＲ  ｇＮＢは２次基地局（SgNB、Secondary  gNB）である。代替として、ＮＲ  ｇＮＢがアンカー基地局又はマスタ基地局（MgNB、Master  gNB）である場合、ＬＴＥ  ｅＮＢは２次基地局（SeNB、Secondary  eNB）である。主な説明は以下に与えられる。
【０１１１】
ステップ６０１。２次基地局は、アンカー基地局のＲＲＣエンティティにより生成された第１ＲＲＣメッセージを受信し、２次基地局のＲＲＣエンティティは第２ＲＲＣメッセージを生成する。
【０１１２】
ステップ６０２。２次基地局は、第１ＲＲＣメッセージ及び第２ＲＲＣメッセージを端末へ、２次基地局と端末との間の無線インタフェースを介して送信する。ここで、端末がＲＲＣコンテナ（RRC  container）から第１ＲＲＣメッセージをパースして出すとき、第１ＲＲＣメッセージがアンカー基地局のＲＲＣエンティティにより生成されたことを決定するために、第１ＲＲＣメッセージは２次基地局によりＲＲＣ  ｃｏｎｔａｉｎｅｒにカプセル化される。アンカー基地局及び２次基地局は異なる無線アクセス技術を用いる。
【０１１３】
図７は、本発明の別の実施形態による別の多数接続通信方法の概略フローチャートである。本実施形態では、ＬＴＥ  ｅＮＢがアンカー基地局又はマスタ基地局（MeNB、master  eNB）である場合、ＮＲ  ｇＮＢは２次基地局（SgNB、Secondary  gNB）である。代替として、ＮＲ  ｇＮＢがアンカー基地局又はマスタ基地局（MgNB、Master  gNB）である場合、ＬＴＥ  ｅＮＢは２次基地局（SeNB、Secondary  eNB）である。主な説明は以下に与えられる。
【０１１４】
ステップ７０１。２次基地局は、アンカー基地局のＲＲＣエンティティにより生成された第１ＲＲＣメッセージを受信し、２次基地局のＲＲＣエンティティは第２ＲＲＣメッセージを生成する。
【０１１５】
ステップ７０２。２次基地局は、第１ＲＲＣメッセージ及び第２ＲＲＣメッセージを、端末へ、２次基地局と端末との間の無線インタフェースの２つの異なる論理チャネルを介して送信する。その結果、端末は、異なる論理チャネルに基づき、ＲＲＣメッセージを生成した目標ＲＲＣエンティティを区別する。ここで、目標ＲＲＣエンティティは、アンカー基地局のＲＲＣエンティティ又は２次基地局のＲＲＣエンティティであり、アンカー基地局及び２次基地局は異なる無線アクセス技術を用いる。
【０１１６】
任意で、方法は、
２次基地局により、２つの異なる論理チャネルに対応する２つの異なるＳＲＢ（signaling  radio  bearer、シグナリングベアラ、主にシグナリングメッセージを伝達するために使用される）を確立するステップと、
２次基地局により、２つの異なるＳＲＢの構成情報と相応してＲＲＣメッセージを生成するＲＲＣエンティティとの間の対応を端末へ送信するステップと、を更に含む。
【０１１７】
任意で、２つの異なるＳＲＢは第１ＳＲＢ及び第２ＳＲＢを含み、第１ＳＲＢは第１ＲＲＣメッセージを送信するために使用され、第２ＳＲＢは第２ＲＲＣメッセージを送信するために使用され、
２次基地局により、２つの異なるＳＲＢの構成情報と相応してＲＲＣメッセージを生成するＲＲＣエンティティとの間の対応を端末へ送信するステップは、具体的に、
２次基地局により、第１ＳＲＢの構成情報とアンカー基地局のＲＲＣエンティティとの間の対応を、アンカー基地局へ、アンカー基地局と２次基地局との間のインタフェースを介して送信するステップであって、その結果、アンカー基地局は、対応を、端末へ、アンカー基地局と端末との間の無線インタフェースを介して送信する、ステップと、
２次基地局により、第２ＳＲＢの構成情報と２次基地局のＲＲＣエンティティとの間の対応を、端末へ、２次基地局と端末との間の無線インタフェースを介して送信するステップと、を含む。
【０１１８】
図８は、本発明の別の実施形態による別の多数接続通信方法の概略フローチャートである。本実施形態では、説明は端末側から与えられる。ＬＴＥ  ｅＮＢがアンカー基地局又はマスタ基地局（MeNB、master  eNB）である場合、ＮＲ  ｇＮＢは２次基地局（SgNB、Secondary  gNB）である。代替として、ＮＲ  ｇＮＢがアンカー基地局又はマスタ基地局（MgNB、Master  gNB）である場合、ＬＴＥ  ｅＮＢは２次基地局（SeNB、Secondary  eNB）である。主な説明は以下に与えられる。
【０１１９】
ステップ８０１。端末は、２次基地局と端末との間の無線インタフェースを介して、２次基地局により送信されたＲＲＣメッセージを受信する。ここで、ＲＲＣメッセージは、アンカー基地局のＲＲＣエンティティにより生成された第１ＲＲＣメッセージと、２次基地局のＲＲＣエンティティにより生成された第２ＲＲＣメッセージと、を含む。
【０１２０】
ステップ８０２。端末は、ＲＲＣメッセージをパースするとき、ＰＤＣＰヘッダ、ＲＬＣヘッダ、又は新たに追加されたアダプテーションレイヤから、指示情報を取得する。ここで、指示情報は、ＲＲＣメッセージを生成した目標ＲＲＣエンティティを示すために使用される。
【０１２１】
ステップ８０３。指示情報に基づき、ＲＲＣメッセージを生成した目標ＲＲＣエンティティを決定した後に、端末は、受信したＲＲＣメッセージを対応するＲＲＣモジュールに処理のために渡す。ここで、目標ＲＲＣエンティティは、アンカー基地局のＲＲＣエンティティ又は２次基地局のＲＲＣエンティティであり、アンカー基地局及び２次基地局は異なる無線アクセス技術を用いる。
【０１２２】
任意で、指示情報は、ＰＤＣＰヘッダ内の空きフィールドを用いて、又はＰＤＣＰヘッダに新しいフィールドを追加して、伝達される。
【０１２３】
任意で、指示情報は、第１指示情報及び第２指示情報を含む。ここで、第１指示情報は、目標ＲＲＣエンティティがアンカー基地局のＲＲＣエンティティであることを示すために使用され、第２指示情報は、目標ＲＲＣエンティティが２次基地局のＲＲＣエンティティであることを示すために使用される。
【０１２４】
任意で、第１指示情報は、アンカー基地局によりアンカー基地局のＰＤＣＰヘッダに追加され、アンカー基地局と２次基地局との間のインタフェースを介して２次基地局へ送信され、第２指示情報は、２次基地局により２次基地局のＰＤＣＰヘッダに追加される。
【０１２５】
任意で、第１指示情報及び第２指示情報は、２次基地局により２次基地局のＲＬＣヘッダに追加される。
【０１２６】
任意で、方法は、端末により、２次基地局と端末との間の無線インタフェースを介して、第１指示情報とアンカー基地局のＲＲＣエンティティとの間の対応、及び第２指示情報と２次基地局のＲＲＣエンティティとの間の対応を受信するステップであって、対応は２次基地局により送信される、ステップ、を更に含む。
【０１２７】
任意で、第１指示情報は、アンカー基地局により、アンカー基地局の新たに追加されたアダプテーションレイヤに追加され、アンカー基地局と２次基地局との間のインタフェースを介して２次基地局へ送信され、次に２次基地局により、端末へ、２次基地局と端末との間の無線インタフェースを介して送信され、第２指示情報は、２次基地局により２次基地局の新たに追加されたアダプテーションレイヤに追加され、次に２次基地局により、端末へ、２次基地局と端末との間の無線インタフェースを介して送信される。
【０１２８】
任意で、端末は、第１指示情報及び第２指示情報を、２次基地局と端末との間の無線インタフェースを介して受信する。
【０１２９】
任意で、第１指示情報とアンカー基地局のＲＲＣエンティティとの間の対応は、アンカー基地局により、アンカー基地局と端末との間の無線インタフェースを介して端末へ送信され、方法は、端末により、２次基地局と端末との間の無線インタフェースを介して、第２指示情報と２次基地局のＲＲＣエンティティとの間の且つ２次基地局により送信された対応を受信するステップ、を更に含む。
【０１３０】
任意で、２次基地局は、アンカー基地局のＲＲＣエンティティにより生成されたＲＲＣメッセージを送信可能であり、２次基地局のＲＲＣエンティティにより生成されたＲＲＣメッセージを直接送信可能である。
【０１３１】
図９は、本発明の別の実施形態による別の多数接続通信方法の概略フローチャートである。本実施形態では、説明は端末側から与えられる。ＬＴＥ  ｅＮＢがアンカー基地局又はマスタ基地局（MeNB、master  eNB）である場合、ＮＲ  ｇＮＢは２次基地局（SgNB、Secondary  gNB）である。代替として、ＮＲ  ｇＮＢがアンカー基地局又はマスタ基地局（MgNB、Master  gNB）である場合、ＬＴＥ  ｅＮＢは２次基地局（SeNB、Secondary  eNB）である。主な説明は以下に与えられる。
【０１３２】
ステップ９０１。端末は、２次基地局と端末との間の無線インタフェースを介して、２次基地局により送信されたＲＲＣメッセージを受信する。ここで、ＲＲＣメッセージは、アンカー基地局のＲＲＣエンティティにより生成された第１ＲＲＣメッセージと、２次基地局のＲＲＣエンティティにより生成された第２ＲＲＣメッセージと、を含む。
【０１３３】
ステップ９０２。端末が、ＲＲＣメッセージをパースするとき、ＲＲＣコンテナ（RRC  container）からＲＲＣメッセージをパースして出す場合、端末は、ＲＲＣ  ｃｏｎｔａｉｎｅｒからパースして出されたＲＲＣメッセージが、アンカー基地局のＲＲＣエンティティにより生成された第１ＲＲＣメッセージであると決定する。ここで、アンカー基地局及び２次基地局は異なる無線アクセス技術を用いる。
【０１３４】
多数接続通信方法であって、
端末により、２次基地局と端末との間の無線インタフェースの異なる論理チャネルを介して、２次基地局により送信されたＲＲＣメッセージを受信するステップであって、ＲＲＣメッセージは、アンカー基地局のＲＲＣエンティティにより生成された第１ＲＲＣメッセージと、２次基地局のＲＲＣエンティティにより生成された第２ＲＲＣメッセージと、を含む、ステップと、
端末により、異なる論理チャネルに基づき、ＲＲＣメッセージを生成した目標ＲＲＣエンティティを区別するステップと、を含む方法が提供される。
【０１３５】
目標ＲＲＣエンティティは、アンカー基地局のＲＲＣエンティティ又は２次基地局のＲＲＣエンティティであり、アンカー基地局及び２次基地局は、異なる無線アクセス技術を用いる。
【０１３６】
任意で、方法は、端末により、２つの異なるＳＲＢの構成情報を受信するステップであって、２つの異なるＳＲＢの構成情報は、２つの異なる論理チャネルに対応し、ＳＲＢの構成情報と相応してＲＲＣメッセージを生成するＲＲＣエンティティとの間の対応を含む、ステップを更に含む。
【０１３７】
任意で、２つの異なるＳＲＢは、第１ＳＲＢ及び第２ＳＲＢを含み、第１ＳＲＢは第１ＲＲＣメッセージを送信するために使用され、第２ＳＲＢは第２ＲＲＣメッセージを送信するために使用される。
【０１３８】
第１ＳＲＢの構成情報とアンカー基地局のＲＲＣエンティティとの間の対応は、２次基地局によりアンカー基地局へ、アンカー基地局と２次基地局との間のインタフェースを介して送信され、方法は、
端末により、第１ＳＲＢの構成情報とアンカー基地局のＲＲＣエンティティとの間のものであり且つアンカー基地局によりアンカー基地局と端末との間の無線インタフェースを介して送信される対応を受信するステップと、
端末により、第２ＳＲＢの構成情報と２次基地局のＲＲＣエンティティとの間のものであり、且つ２次基地局により２次基地局と端末との間の無線インタフェースを介して送信される対応を受信するステップと、を更に含む。
【０１３９】
図１０は、本発明の別の実施形態による２次基地局の概略構造図である。本実施形態では、ＬＴＥ  ｅＮＢがアンカー基地局又はマスタ基地局（MeNB、master  eNB）である場合、ＮＲ  ｇＮＢは２次基地局（SgNB、Secondary  gNB）である。代替として、ＮＲ  ｇＮＢがアンカー基地局又はマスタ基地局（MgNB、Master  gNB）である場合、ＬＴＥ  ｅＮＢは２次基地局（SeNB、Secondary  eNB）である。主な説明は以下に与えられる。
【０１４０】
２次基地局は、受信機１００１、ＲＲＣエンティティ１００２、送信機１００３、及びプロセッサ１００４を含む。
【０１４１】
受信機１００１は、アンカー基地局のＲＲＣエンティティにより生成された第１ＲＲＣメッセージを受信するよう構成される。
【０１４２】
ＲＲＣエンティティ１００２は、第２ＲＲＣメッセージを生成するよう構成される。
【０１４３】
送信機１００３は、第１ＲＲＣメッセージ及び第２ＲＲＣメッセージを端末へ、２次基地局と端末との間の無線インタフェースを介して送信するよう構成される。ここで、ＰＤＣＰヘッダ、ＲＬＣヘッダ、又は新たに追加されたアダプテーションレイヤは指示情報を伝達し、指示情報は、ＲＲＣメッセージを生成した目標ＲＲＣエンティティを示すために使用される。目標ＲＲＣエンティティは、アンカー基地局のＲＲＣエンティティ又は２次基地局のＲＲＣエンティティであり、アンカー基地局及び２次基地局は、異なる無線アクセス技術を用いる。
【０１４４】
任意で、指示情報は、ＰＤＣＰヘッダ内の空きフィールドを用いて、又はＰＤＣＰヘッダに新しいフィールドを追加して、伝達される。
【０１４５】
任意で、指示情報は、第１指示情報及び第２指示情報を含む。ここで、第１指示情報は、目標ＲＲＣエンティティがアンカー基地局のＲＲＣエンティティであることを示すために使用され、第２指示情報は、目標ＲＲＣエンティティが２次基地局のＲＲＣエンティティであることを示すために使用される。
【０１４６】
任意で、第１指示情報は、アンカー基地局によりアンカー基地局のＰＤＣＰヘッダに追加され、アンカー基地局と２次基地局との間のインタフェースを介して２次基地局へ送信され、２次基地局は、２次基地局のＰＤＣＰヘッダに第２指示情報を追加するよう構成されるプロセッサ１００４を更に含む。
【０１４７】
任意で、２次基地局は、第１指示情報及び第２指示情報を２次基地局のＲＬＣヘッダに追加するよう構成されるプロセッサ１００４を更に含む。
【０１４８】
任意で、送信機１００３は、第１指示情報とアンカー基地局のＲＲＣエンティティとの間の対応、及び第２指示情報と２次基地局のＲＲＣエンティティとの間の対応を、２次基地局と端末との間の無線インタフェースを介して端末へ送信するよう更に構成される。
【０１４９】
任意で、第１指示情報は、アンカー基地局によりアンカー基地局の新たに追加されたアダプテーションレイヤに追加され、アンカー基地局と２次基地局との間のインタフェースを介して２次基地局へ送信され、２次基地局は、２次基地局の新たに追加されたアダプテーションレイヤに第２指示情報を追加するよう構成されるプロセッサ１００４を更に含む。
【０１５０】
任意で、第１指示情報とアンカー基地局のＲＲＣエンティティとの間の対応は、アンカー基地局により、アンカー基地局と端末との間の無線インタフェースを介して端末へ送信され、送信機１００３は、第２指示情報と２次基地局のＲＲＣエンティティとの間の対応を、２次基地局と端末との間の無線インタフェースを介して端末へ送信するよう更に構成される。
【０１５１】
任意で、送信機１００３は、アップリンク許可（ＵＬ  ｇｒａｎｔ）情報を、アンカー基地局と２次基地局との間のインタフェースを介してアンカー基地局へ送信するよう更に構成され、その結果、アンカー基地局は、アンカー基地局のＲＲＣエンティティにより生成されたＲＲＣメッセージを端末へ送信し、アンカー基地局は、端末に、２次基地局へのＲＲＣ接続を確立するよう指示する。
【０１５２】
任意で、送信機１００３は、アップリンク許可（ＵＬ  ｇｒａｎｔ）情報を含むランダムアクセス応答メッセージを端末へ送信して、端末が２次基地局へのＲＲＣ接続を確立することを示す、よう更に構成される。
【０１５３】
任意で、２次基地局は、アンカー基地局のＲＲＣエンティティにより生成されたＲＲＣメッセージを送信可能であり、２次基地局のＲＲＣエンティティにより生成されたＲＲＣメッセージを直接送信可能である。
【０１５４】
図１１は、本発明の別の実施形態による２次基地局の概略構造図である。本実施形態では、ＬＴＥ  ｅＮＢがアンカー基地局又はマスタ基地局（MeNB、master  eNB）である場合、ＮＲ  ｇＮＢは２次基地局（SgNB、Secondary  gNB）である。代替として、ＮＲ  ｇＮＢがアンカー基地局又はマスタ基地局（MgNB、Master  gNB）である場合、ＬＴＥ  ｅＮＢは２次基地局（SeNB、Secondary  eNB）である。主な説明は以下に与えられる。
【０１５５】
２次基地局は、アンカー基地局のＲＲＣエンティティにより生成された第１ＲＲＣメッセージを受信するよう構成される受信機１１０１と、第２ＲＲＣメッセージを生成するよう構成されるＲＲＣエンティティ１１０２と、第１ＲＲＣメッセージ及び第２ＲＲＣメッセージを端末へ、２次基地局と端末との間の無線インタフェースを介して送信するよう構成される送信機１１０３と、端末がＲＲＣコンテナ（RRC  container）から第１ＲＲＣメッセージをパースして出すとき、第１ＲＲＣメッセージがアンカー基地局のＲＲＣエンティティにより生成されたことを決定するために、第１ＲＲＣメッセージをＲＲＣ  ｃｏｎｔａｉｎｅｒにカプセル化するよう構成されるプロセッサ１００４と、を含む。アンカー基地局及び２次基地局は、異なる無線アクセス技術を用いる。
【０１５６】
図１２は、本発明の別の実施形態による２次基地局の概略構造図である。本実施形態では、ＬＴＥ  ｅＮＢがアンカー基地局又はマスタ基地局（MeNB、master  eNB）である場合、ＮＲ  ｇＮＢは２次基地局（SgNB、Secondary  gNB）である。代替として、ＮＲ  ｇＮＢがアンカー基地局又はマスタ基地局（MgNB、Master  gNB）である場合、ＬＴＥ  ｅＮＢは２次基地局（SeNB、Secondary  eNB）である。主な説明は以下に与えられる。
【０１５７】
２次基地局は、アンカー基地局のＲＲＣエンティティにより生成された第１ＲＲＣメッセージを受信するよう構成される受信機１２０１と、第２ＲＲＣメッセージを生成するよう構成されるＲＲＣエンティティ１２０２と、第１ＲＲＣメッセージ及び第２ＲＲＣメッセージを端末へ、２次基地局と端末との間の無線インタフェースの２つの異なる論理チャネルを介して送信するよう構成される送信機１２０３と、を含み、その結果、端末は、異なる論理チャネルに基づき、ＲＲＣメッセージを生成した目標ＲＲＣエンティティを区別する。目標ＲＲＣエンティティは、アンカー基地局のＲＲＣエンティティ又は２次基地局のＲＲＣエンティティであり、アンカー基地局及び２次基地局は、異なる無線アクセス技術を用いる。
【０１５８】
任意で、２次基地局は、２つの異なる論理チャネルに対応する２つの異なるＳＲＢを確立するよう構成されるプロセッサ１２０４を更に含む。
【０１５９】
送信機１２０３は、２つの異なるＳＲＢの構成情報と相応してＲＲＣメッセージを生成するＲＲＣエンティティとの間の対応を、端末へ送信するよう更に構成される。
【０１６０】
任意で、２つの異なるＳＲＢは、第１ＳＲＢ及び第２ＳＲＢを含み、第１ＳＲＢは第１ＲＲＣメッセージを送信するために使用され、第２ＳＲＢは第２ＲＲＣメッセージを送信するために使用される。送信機１２０３は、第１ＳＲＢの構成情報とアンカー基地局のＲＲＣエンティティとの間の対応を、アンカー基地局へ、アンカー基地局と２次基地局との間のインタフェースを介して送信するよう更に構成され、その結果、アンカー基地局は、該対応を端末へ、アンカー基地局と端末との間の無線インタフェースを介して送信する。送信機１２０３は、第２ＳＲＢの構成情報と２次基地局のＲＲＣエンティティとの間の対応を、端末へ、２次基地局と端末との間の無線インタフェースを介して送信するよう更に構成される。
【０１６１】
図１３は、本発明の別の実施形態による端末の概略構造図である。本実施形態では、ＬＴＥ  ｅＮＢがアンカー基地局又はマスタ基地局（MeNB、master  eNB）である場合、ＮＲ  ｇＮＢは２次基地局（SgNB、Secondary  gNB）である。代替として、ＮＲ  ｇＮＢがアンカー基地局又はマスタ基地局（MgNB、Master  gNB）である場合、ＬＴＥ  ｅＮＢは２次基地局（SeNB、Secondary  eNB）である。主な説明は以下に与えられる。
【０１６２】
端末は、２次基地局と端末との間の無線インタフェースを介して、２次基地局により送信されたＲＲＣメッセージを受信するよう構成される受信機１３０１であって、ＲＲＣメッセージは、アンカー基地局のＲＲＣエンティティにより生成された第１ＲＲＣメッセージと、２次基地局のＲＲＣエンティティにより生成された第２ＲＲＣメッセージと、を含む、受信機１３０１と、プロセッサ１３０２であって、ＲＲＣメッセージをパースするとき、ＰＤＣＰヘッダ、ＲＬＣヘッダ、又は新たに追加されたアダプテーションレイヤから指示情報を取得するよう構成され、指示情報は、ＲＲＣメッセージを生成した目標ＲＲＣエンティティを示すために使用され、指示情報に基づき、ＲＲＣメッセージを生成した目標ＲＲＣエンティティが決定されるステップの後に、受信したＲＲＣメッセージを処理のために対応するＲＲＣモジュールに渡すよう構成されるプロセッサ１３０２と、を含み、目標ＲＲＣエンティティは、アンカー基地局のＲＲＣエンティティ又は２次基地局のＲＲＣエンティティであり、アンカー基地局及び２次基地局は異なる無線アクセス技術を用いる。
【０１６３】
任意で、指示情報は、ＰＤＣＰヘッダ内の空きフィールドを用いて、又はＰＤＣＰヘッダに新しいフィールドを追加して、伝達される。
【０１６４】
任意で、指示情報は、第１指示情報及び第２指示情報を含む。ここで、第１指示情報は、目標ＲＲＣエンティティがアンカー基地局のＲＲＣエンティティであることを示すために使用され、第２指示情報は、目標ＲＲＣエンティティが２次基地局のＲＲＣエンティティであることを示すために使用される。
【０１６５】
任意で、第１指示情報は、アンカー基地局によりアンカー基地局のＰＤＣＰヘッダに追加され、アンカー基地局と２次基地局との間のインタフェースを介して２次基地局へ送信され、第２指示情報は、２次基地局により２次基地局のＰＤＣＰヘッダに追加される。
【０１６６】
任意で、第１指示情報及び第２指示情報は、２次基地局により２次基地局のＲＬＣヘッダに追加される。
【０１６７】
任意で、受信機１３０１は、２次基地局と端末との間の無線インタフェースを介して、第１指示情報とアンカー基地局のＲＲＣエンティティとの間の対応、及び第２指示情報と２次基地局のＲＲＣエンティティとの間の対応を受信するよう更に構成され、対応は２次基地局により送信される。
【０１６８】
任意で、第１指示情報は、アンカー基地局によりアンカー基地局の新たに追加されたアダプテーションレイヤに追加され、アンカー基地局と２次基地局との間のインタフェースを介して２次基地局へ送信され、第２指示情報は、２次基地局により２次基地局の新たに追加されたアダプテーションレイヤに追加される。受信機１３０１は、第１指示情報及び第２指示情報を、２次基地局から、２次基地局と端末との間の無線インタフェースを介して受信するよう更に構成される。
【０１６９】
任意で、受信機１３０１は、２次基地局と端末との間の無線インタフェースを介して、第２指示情報と２次基地局のＲＲＣエンティティとの間の且つ２次基地局により送信された対応を受信するよう更に構成される。
【０１７０】
任意で、２次基地局は、アンカー基地局のＲＲＣエンティティにより生成されたＲＲＣメッセージを送信可能であり、２次基地局のＲＲＣエンティティにより生成されたＲＲＣメッセージを直接送信可能である。
【０１７１】
図１４は、本発明の別の実施形態による端末の概略構造図である。本実施形態では、ＬＴＥ  ｅＮＢがアンカー基地局又はマスタ基地局（MeNB、master  eNB）である場合、ＮＲ  ｇＮＢは２次基地局（SgNB、Secondary  gNB）である。代替として、ＮＲ  ｇＮＢがアンカー基地局又はマスタ基地局（MgNB、Master  gNB）である場合、ＬＴＥ  ｅＮＢは２次基地局（SeNB、Secondary  eNB）である。主な説明は以下に与えられる。
【０１７２】
端末は、２次基地局と端末との間の無線インタフェースを介して、２次基地局により送信されたＲＲＣメッセージを受信するよう構成される受信機１４０１であって、ＲＲＣメッセージは、アンカー基地局のＲＲＣエンティティにより生成された第１ＲＲＣメッセージと、２次基地局のＲＲＣエンティティにより生成された第２ＲＲＣメッセージと、を含む、受信機１４０１と、ＲＲＣメッセージをパースするとき、ＲＲＣコンテナ（RRC  container）からＲＲＣメッセージがパースして出される場合、ＲＲＣ  ｃｏｎｔａｉｎｅｒからパースして出されたＲＲＣメッセージが、アンカー基地局のＲＲＣエンティティにより生成された第１ＲＲＣメッセージであると決定するよう構成されるプロセッサ１４０２と、を含む。アンカー基地局及び２次基地局は、異なる無線アクセス技術を用いる。
【０１７３】
図１５は、本発明の別の実施形態による別の端末の概略構造図である。本実施形態では、ＬＴＥ  ｅＮＢがアンカー基地局又はマスタ基地局（MeNB、master  eNB）である場合、ＮＲ  ｇＮＢは２次基地局（SgNB、Secondary  gNB）である。代替として、ＮＲ  ｇＮＢがアンカー基地局又はマスタ基地局（MgNB、Master  gNB）である場合、ＬＴＥ  ｅＮＢは２次基地局（SeNB、Secondary  eNB）である。主な説明は以下に与えられる。
【０１７４】
端末は、受信機１５０１であって、２次基地局と端末との間の無線インタフェースの異なる論理チャネルを介して、２次基地局により送信されたＲＲＣメッセージを受信するよう構成され、ＲＲＣメッセージは、アンカー基地局のＲＲＣエンティティにより生成された第１ＲＲＣメッセージと、２次基地局のＲＲＣエンティティにより生成された第２ＲＲＣメッセージと、を含む、受信機１５０１と、異なる論理チャネルに基づき、ＲＲＣメッセージを生成した目標ＲＲＣエンティティを区別するよう構成されるプロセッサ１５０２と、を含む。目標ＲＲＣエンティティは、アンカー基地局のＲＲＣエンティティ又は２次基地局のＲＲＣエンティティであり、アンカー基地局及び２次基地局は、異なる無線アクセス技術を用いる。
【０１７５】
任意で、受信機１５０１は、２つの異なるＳＲＢの構成情報を受信するよう更に構成され、２つの異なるＳＲＢの構成情報は、２つの異なる論理チャネルに対応し、ＳＲＢの構成情報と相応してＲＲＣメッセージを生成するＲＲＣエンティティとの間の対応を含む。
【０１７６】
任意で、２つの異なるＳＲＢは、第１ＳＲＢ及び第２ＳＲＢを含み、第１ＳＲＢは第１ＲＲＣメッセージを送信するために使用され、第２ＳＲＢは第２ＲＲＣメッセージを送信するために使用される。
【０１７７】
第１ＳＲＢの構成情報とアンカー基地局のＲＲＣエンティティとの間の対応は、２次基地局によりアンカー基地局へ、アンカー基地局と２次基地局との間のインタフェースを介して送信される。受信機１５０１は、第１ＳＲＢの構成情報とアンカー基地局のＲＲＣエンティティとの間の且つアンカー基地局によりアンカー基地局と端末との間の無線インタフェースを介して送信された対応を受信するよう更に構成される。
【０１７８】
受信機１５０１は、第２ＳＲＢの構成情報と２次基地局のＲＲＣエンティティとの間の且つ２次基地局により２次基地局と端末との間の無線インタフェースを介して送信された対応を受信するよう更に構成される。
【０１７９】
図１６に示すように、第１ネットワークがＬＴＥネットワークであり、新無線アクセスネットワークが５Ｇネットワークである一例が使用される。図１６は、本発明の一実施形態に適用可能な多数接続ネットワークアーキテクチャの概略図である。図１６に示すように、図１６に示される多数接続ネットワークアーキテクチャは、ＬＴＥネットワークのアクセスネットワーク装置、新無線アクセスネットワークのアクセスネットワーク装置、及びＬＴＥネットワークのコアネットワーク装置を含む。ＬＴＥネットワークのアクセスネットワーク装置はＬＴＥ  ｅＮＢを含み、新無線アクセスネットワークのアクセスネットワーク装置はＮＲ  ｇＮＢを含み、ＬＴＥのコアネットワーク装置は、移動性管理エンティティ（Mobility  Management  Entity、略称：ＭＭＥ）又はサービングゲートウェイ（Serving  Gateway、略称：S−GW）を含む。新無線アクセスネットワークのアクセスネットワーク装置の機能は、ＬＴＥネットワークのアクセスネットワーク装置の機能と同様であり、両方のアクセスネットワーク装置は、セキュリティ認証、課金、及び端末の移動性管理のような機能を提供できる。ＬＴＥネットワークのアクセスネットワーク装置と新無線アクセスネットワークのアクセスネットワーク装置との間のインタフェースは、新インタフェースであり、新インタフェースはＸ５インタフェース等として呼ばれ得る。これはここで限定されない。図１６に示す例では２つの接続：端末と新無線アクセスネットワークのアクセスネットワーク装置との間の接続、並びにＬＴＥネットワークのアクセスネットワーク装置を介する端末と新無線アクセスネットワークのアクセスネットワークとの間の接続、しかない。勿論、端末は、代替として、ＬＴＥネットワークのアクセスネットワーク装置を用いて、より多くの接続を確立してよい。
【０１８０】
本実施形態では、ＬＴＥ  ｅＮＢがアンカーとして使用される多数接続データ送信を実行するために、ＬＴＥ  ｅＮＢはアンカー基地局又はマスタ基地局（MeNB、master  eNB）として使用され、ＮＲ  ｇＮＢは２次基地局（SgNB、Secondary  gNB）として使用される。
【０１８１】
多数接続データ送信の間、データは、ＬＴＥ  ｅＮＢのＰＤＣＰレイヤ又はＬＴＥ  ｅＮＢのＲＬＣプロトコルレイヤにおいて分割されてよい。これは、本実施形態において限定されない。
【０１８２】
図１７は、本発明の別の実施形態による多数接続通信方法の概略フローチャートである。本実施形態では、ＬＴＥ  ｅＮＢはアンカー基地局又はマスタ基地局であり、ＮＲ  ｇＮＢは２次基地局である。主な説明は以下に与えられる。
【０１８３】
ステップ１７０１。ＬＴＥ  ｅＮＢは、多数接続処理をトリガするために、ＮＲ  ｇＮＢに対し追加要求手順を開始する。
【０１８４】
多数接続処理では、ＬＴＥ  ｅＮＢはＭｅＮＢとして使用されてよく、ＮＲ  ｇＮＢ、つまり２次基地局（ＳｇＮＢ）に対する追加要求手順を開始して、ＬＴＥ−ＮＲ多数接続データ送信（LTE−NR  tight  interworking）をトリガする。
【０１８５】
追加要求手順はＬＴＥ  ＤＣと同様である。例えば、ＬＴＥ  ｅＮＢはアンカー基地局としてサービスして、ＳｇＮＢ  ａｄｄｉｔｉｏｎ  ｒｅｑｕｅｓｔを２次基地局ＮＲ  ｇＮＢに対して開始する。ＳｇＮＢ  ａｄｄｉｔｉｏｎ  ｒｅｑｕｅｓｔは、２次基地局としてサービスするＮＲ  ｇＮＢに、対応する接続リソースを生成するよう要求するために使用される。追加要求メッセージは、以下の情報：データ無線ベアラに関する情報（例えば、ＥＲＡＢ  ＩＤ）、セキュリティ関連情報（例えば、ｋｅｙ）、（シグナリング無線ベアラ識別子（SRB  ID、signaling  radio  bearer  identifier）のような）シグナリングベアラに関する情報、対応するトンネル終端点識別子（ＴＥＩＤ）、及び対応するサービス品質（QoS、Quality  of  Service）、のうちの少なくとも１つを含む。
【０１８６】
要求メッセージを受信した後に、ＮＲ  ｇＮＢは応答メッセージをＭｅＮＢへ返す。応答メッセージは、受信したデータ無線ベアラに関する情報、受信したシグナリングベアラに関する情報、受信した対応するトンネル終端点、等を含む。ＮＲ  ｇＮＢは、端末のために対応するリソースを予約し、対応するＳＲＢを生成し、ＭｅＮＢのＲＲＣメッセージを用いて端末へ関連構成情報を送信する。構成情報は、以下：シグナリング無線ベアラに関する構成（例えば、ＳＲＢ  ＩＤ）、ベアラ関連構成（例えば、ＤＲＢ  ＩＤ）、ＲＬＣ構成、ＰＤＣＰ構成、等、のうちの少なくとも１つを含む。
【０１８７】
ステップ１７０２。ＬＴＥ  ｅＮＢは、ＲＲＣ  ｄｉｖｅｒｓｉｔｙ機能の実行をトリガし、ＲＲＣ構成情報を生成する。
【０１８８】
例えば、ＲＲＣ  ｄｉｖｅｒｓｉｔｙ機能は、無線リソース制御（ＲＲＣ）ダイバーシチである。つまり、ＬＴＥ  ｅＮＢにより生成されたＲＲＣメッセージは、端末へ、ＬＴＥ無線インタフェース及びＮＲ無線インタフェースを介して別個に送信されてよい。言い換えると、ＬＴＥ  ｅＮＢにより生成されたＲＲＣメッセージは、端末へ、ＬＴＥ無線インタフェースを介して送信され、代替として、ＮＲ  ｇＮＢへＬＴＥ  ｅＮＢとＮＲ  ｇＮＢとの間のインタフェースを介して送信され、次にＮＲ  ｇＮＢにより端末へ送信されてよい。ＬＴＥ  ｅＮＢは、ＲＲＣ  ｄｉｖｅｒｓｉｔｙ機能の実行をトリガし、ＬＴＥ  ｅＮＢは、ＲＲＣ構成情報を生成する。
【０１８９】
ステップ１７０３〜ステップ１７０５。ＬＴＥ  ｅＮＢは、ＲＲＣ構成情報を端末へ、ＬＴＥ  ｅＮＢ及びＮＲ  ｇＮＢを用いて別個に送信する。
【０１９０】
例えば、ＬＴＥ  ｅＮＢは、ＲＲＣ構成情報を端末へ、ＬＴＥ  ｅＮＢ及びＮＲ  ｇＮＢを用いて別個に送信する。
【０１９１】
ＳｇＮＢ追加手順では、ＲＲＣ  ｄｉｖｅｒｓｉｔｙ構成は、ｓｐｌｉｔされるべきＳＲＢに関連する情報をＳＲＢ分割（split  SRB）方法における追加要求メッセージ、例えばシグナリングベアラに関する情報（ＳＲＢ  ＩＤ）に追加するステップを含んでよい。要求メッセージを受信した後に、ＮＲ  ｇＮＢはリソースを予約し、対応するＳＲＢを生成する。ＮＲ  ｇＮＢは、応答メッセージの中で、ＳＲＢの構成情報を端末へ、ＬＴＥ  ｅＮＢのＲＲＣメッセージを用いて配信する。
【０１９２】
ステップ１７０６。ＮＲ  ｇＮＢは、ｄｉｒｅｃｔ  ＲＲＣ  ｍｅｓｓａｇｅ機能をトリガする。
【０１９３】
ｄｉｒｅｃｔ  ＲＲＣ  ｍｅｓｓａｇｅ機能は以下の通りである。ＮＲ  ｇＮＢは、２次基地局としてサービスするとき、ＲＲＣメッセージを直接生成し、ＲＲＣメッセージを端末へＮＲ無線インタフェースを介して送信する。ＮＲ  ｇＮＢのｄｉｒｅｃｔ  ＲＲＣ  ｍｅｓｓａｇｅ機能は、主に、以下の２つの方法でトリガされる。
【０１９４】
方法１。ＬＴＥ  ｅＮＢは、ＮＲ  ｇＮＢがｄｉｒｅｃｔ  ＲＲＣ機能を有するか否かを決定する。
【０１９５】
ＬＴＥ  ｅＮＢが、ＮＲ  ｇＮＢはｄｉｒｅｃｔ  ＲＲＣ機能を有すると決定した場合、ＮＲ  ｇＮＢはアップリンク許可（ＵＬ  ｇｒａｎｔ）情報をＬＴＥ  ｅＮＢへ、ＮＲ  ｇＮＢとＬＴＥ  ｅＮＢとの間のインタフェースを介して送信し、次に、ＬＴＥ  ｅＮＢは、ＬＴＥ無線インタフェースを介して、ＬＴＥ  ｅＮＢにより生成されたＲＲＣメッセージを端末へ送信し、端末に、ＮＲ  ｇＮＢへのＲＲＣ接続を確立するよう指示する。端末は、ＲＲＣ接続確立要求をＮＲ  ｇＮＢに対して、該命令に基づき開始し、次に、端末はＮＲ  ｇＮＢへのＲＲＣ接続を確立する。
【０１９６】
例えば、ＮＲ  ｇＮＢは、追加要求肯定応答（addition  request  ACK）メッセージ又は別のメッセージの中で伝達されるＵＬ  ｇｒａｎｔ情報を、ＬＴＥ  ｅＮＢへ送信する。これは、本実施形態において限定されない。
【０１９７】
本発明の別の実施形態では、ＵＬ  ｇｒａｎｔ情報は、ＮＲ  ｇＮＢからＬＴＥ  ｅＮＢによりａｄｄｉｔｉｏｎ  ｒｅｑｕｅｓｔメッセージの中で要求されてもよい。これは、本実施形態において限定されない。
【０１９８】
方法２。ＮＲ  ｇＮＢは、ＮＲ  ｇＮＢがｄｉｒｅｃｔ  ＲＲＣ機能を有するか否かを決定する。
【０１９９】
ＮＲ  ｇＮＢが、ＮＲ  ｇＮＢはｄｉｒｅｃｔ  ＲＲＣ機能を有すると決定した場合、ＮＲ  ｇＮＢにより端末へ送信されたランダムアクセスメッセージは、ＵＬ  ｇｒａｎｔ情報を伝達して、端末がＮＲ  ｇＮＢへのＲＲＣ接続を確立することを示す。ＮＲ  ｇＮＢは、ＵＬ  ｇｒａｎｔ情報を端末へ、ＬＴＥ  ｅＮＢを用いて送信する必要がない。端末は、ＲＲＣ接続確立要求をＮＲ  ｇＮＢに対して、該命令に基づき開始し、次に、端末はＮＲ  ｇＮＢとのＲＲＣ接続を確立する。
【０２００】
端末がＮＲ  ｇＮＢとのＲＲＣ接続を確立する方法は、ＬＴＥ  ＲＲＣ接続を確立する既存の方法と同様である。詳細は本発明において記載されない。
【０２０１】
ステップ１７０７。ＮＲ  ｇＮＢは、ｄｉｒｅｃｔ  ＲＲＣ  ｍｅｓｓａｇｅのＳＲＢシグナリングを構成する。
【０２０２】
ＳｇＮＢ  ａｄｄｉｔｉｏｎの後、ＮＲ  ｇＮＢが構成変更要求を有するとき（例えば、ベアラが変更され又は解放される必要がある）、ＮＲ  ｇＮＢはＳＲＢの生成をトリガする。ＳＲＢの構成は、ＰＤＣＰ構成（PDCP  config）、ＲＬＣ構成（RLC  config（任意））、等を含む。ＳＲＢ構成送信方法は以下の通りであってよい。
【０２０３】
方法１。ｓｐｌｉｔ  ＳＲＢ（RRC  diversity）が既にＳｇＮＢ  ａｄｄｉｔｉｏｎ処理の中で構成されている場合、ＮＲ  ｇＮＢは、ＲＲＣメッセージを端末へ、ｓｐｌｉｔ  ＳＲＢを用いて直接送信する。
【０２０４】
方法２。ＮＲ  ｇＮＢはＲＲＣメッセージを端末へ、規定ベアラ（ＳＲＢ０）を用いて送信する。ここで、端末とＮＲ  ｇＮＢとの間のＳＲＢ０はランダムアクセス中に確立されている。
【０２０５】
方法３。ＮＲ  ｇＮＢは、ＳＲＢの構成をＬＴＥ  ｅＮＢへ送信し、ＳＲＢの構成を端末へ、ＬＴＥ  ｅＮＢのＲＲＣメッセージを用いて送信する。
【０２０６】
ステップ１７０８。ＮＲ  ｇＮＢは、ＲＲＣメッセージを端末へ送信する。
【０２０７】
任意で、ＮＲ  ｇＮＢにより端末へ送信されたＲＲＣメッセージは、ＬＴＥ  ｅＮＢのＲＲＣエンティティにより生成されたＲＲＣメッセージ、及びＮＲ  ｇＮＢのＲＲＣエンティティにより生成されたＲＲＣメッセージを含む。ＮＲ  ｇＮＢが、ＬＴＥ  ｅＮＢのＲＲＣエンティティにより生成されたＲＲＣメッセージ及びＮＲ  ｇＮＢのＲＲＣエンティティにより生成されたＲＲＣメッセージを端末へ送信する必要がある場合、ＮＲ  ｇＮＢは、ＲＲＣメッセージを生成した目標ＲＲＣエンティティを示してよい。任意で、ＮＲ  ｇＮＢにより端末へ送信されたＲＲＣメッセージは、また、ＬＴＥ  ｅＮＢのＲＲＣエンティティにより生成され且つＮＲ  ｇＮＢによりＬＴＥ  ｅＮＢから受信されたＲＲＣ  ｄｉｖｅｒｓｉｔｙのＲＲＣメッセージであってよい。
【０２０８】
任意で、ＮＲ  ｇＮＢにより端末へ送信されたＲＲＣメッセージは、また、ＮＲ  ｇＮＢのＲＲＣエンティティにより生成されたｄｉｒｅｃｔ  ＲＲＣメッセージであってよい。
【０２０９】
任意で、ＲＲＣメッセージは、ＮＲ  ｇＮＢによりＬＴＥ  ｅＮＢから受信したＲＲＣ  ｄｉｖｅｒｓｉｔｙのＲＲＣメッセージ、及びＮＲ  ｇＮＢのｄｉｒｅｃｔ  ＲＲＣメッセージを含み、ＮＲ  ｇＮＢがＲＲＣメッセージを生成した目標ＲＲＣエンティティを示す方法は以下に記載される。
【０２１０】
方法１。ＲＲＣメッセージを伝達する、ＰＤＣＰヘッダ、ＲＬＣヘッダ、又は新たに追加されたアダプテーションレイヤは、指示情報を含み、指示情報は、ＲＲＣメッセージを生成した目標ＲＲＣエンティティを示すために使用される。
【０２１１】
方法２。ＮＲ  ｇＮＢは、ＬＴＥ  ｅＮＢのＲＲＣエンティティにより生成されたＲＲＣメッセージを、ＮＲ  ＲＲＣメッセージのＲＲＣコンテナ（RRC  container）にカプセル化し、ＲＲＣメッセージを端末へ、ＮＲ  ｇＮＢにより生成されたＳＲＢを用いて送信する。
【０２１２】
方法３。ＮＲ  ｇＮＢは、ＬＴＥ  ＲＲＣメッセージ及びＮＲ  ＲＲＣメッセージを、端末へ、異なる論理チャネルを用いて送信する。例えば、ＮＲ  ｇＮＢは、２つのＳＲＢを生成する。一方はＬＴＥ  ｅＮＢのＲＲＣエンティティにより生成されたＲＲＣメッセージを送信するために使用され、他方はＮＲ  ｇＮＢのＲＲＣエンティティにより生成されたメッセージを送信するために使用される。
【０２１３】
ステップ１７０９。ＳＲＢを用いて送信されたＲＲＣシグナリングメッセージを受信した後に、端末のＮＲモジュールは、ＲＲＣメッセージを生成した目標ＲＲＣエンティティがＬＴＥ  ｅＮＢ又はＮＲ  ｇＮＢに属するかを区別する。
【０２１４】
端末が、ＲＲＣメッセージを生成した目標ＲＲＣエンティティがＬＴＥ  ｅＮＢ又はＮＲ  ｇＮＢに属するかを区別する方法は、異なるＲＲＣメッセージ送信方法に依存しても異なる。主な説明は以下に与えられる。
【０２１５】
区別方法１。ＲＲＣメッセージを伝達する、ＰＤＣＰヘッダ、ＲＬＣヘッダ、又は新たに追加されたアダプテーションレイヤは、指示情報を含み、指示情報は、ＲＲＣメッセージを生成した目標ＲＲＣエンティティを示すために使用される。主な説明は以下に与えられる。
【０２１６】
Ｏｐｔｉｏｎ  １。ＲＲＣメッセージを伝達するＰＤＣＰヘッダに含まれる指示情報は、ＲＲＣメッセージを生成した目標ＲＲＣエンティティを示す。
【０２１７】
ＲＲＣ  ｄｉｖｅｒｓｉｔｙ機能では、ＬＴＥ  ＲＲＣエンティティにより生成されたＲＲＣメッセージは、ＬＴＥ  ＰＤＣＰレイヤで処理され、ＮＲ  ＲＬＣレイヤへ処理のために送信され、次に、ＮＲ  ＭＡＣレイヤ及びＮＲ  ＰＨＹレイヤで別個に処理され、端末へＮＲ無線インタフェースを介して送信される。処理がＬＴＥ  ＰＤＣＰレイヤで実行されるとき、指示情報片は、ＬＴＥ  ＰＤＣＰヘッダに追加されて、区別の目的で、ＲＲＣメッセージがＬＴＥ  ＲＲＣエンティティにより生成されることを示すために使用される。指示情報は任意である。ＬＴＥ  ＰＤＣＰヘッダの中の指示情報は、ここで、指示情報が既にＮＲ  ＰＤＣＰヘッダにｄｉｒｅｃｔ  ＲＲＣ機能の実行中に追加されている場合には、追加されなくてよい。
【０２１８】
ｄｉｒｅｃｔ  ＲＲＣ機能では、ＮＲ  ＲＲＣエンティティにより生成されたＲＲＣメッセージは、ＮＲ  ＰＤＣＰレイヤで処理され、ＮＲ  ＲＬＣレイヤへ処理のために送信され、次に、ＮＲ  ＭＡＣレイヤ及びＮＲ  ＰＨＹレイヤで別個に処理され、端末へＮＲ無線インタフェースを介して送信される。処理がＮＲ  ＰＤＣＰレイヤで実行されるとき、指示情報片は、ＰＤＣＰヘッダに追加されて、区別の目的で、ＲＲＣメッセージがＮＲ  ＲＲＣエンティティにより生成されることを示すために使用される。指示情報は任意である。ＮＲ  ＰＤＣＰヘッダの中の指示情報は、ここで、指示情報が既にＬＴＥ  ＰＤＣＰヘッダにＲＲＣ  ｄｉｖｅｒｓｉｔｙ機能の実行中に追加されている場合には、追加されなくてよい。
【０２１９】
例えば、指示情報は、ＬＴＥ  ＰＤＣＰヘッダ内の空きフィールドを用いて伝達され、例えばＣ／Ｄドメインフィールドを用いて又は新しいフィールドＬＴＥ  ＰＤＣＰヘッダに追加して、伝達されてよい。
【０２２０】
任意で、指示情報とＬＴＥ  ｅＮＢとの間の対応は、端末に通知される必要がある。例えば、対応は、ＬＴＥ  ｅＮＢのＲＲＣメッセージを用いて伝達されてよく、及びＬＴＥ無線インタフェースを介して端末へ送信される。
【０２２１】
ＲＲＣエンティティがＲＲＣメッセージを生成した後に、ＲＲＣメッセージは、ＰＤＣＰレイヤ、ＲＬＣレイヤ、ＭＡＣレイヤ、及びＰＨＹレイヤで別個に処理される。言い換えると、ＰＤＣＰヘッダ、ＲＬＣヘッダ、ＭＡＣヘッダ、及びＰＨＹヘッダが追加され、次に端末へ無線インタフェースを介して送信される。ＲＲＣ  ｄｉｖｅｒｓｉｔｙ機能の実行では、ＬＴＥ  ｅＮＢのＲＲＣエンティティにより生成されたＲＲＣメッセージは、先ず、ＬＴＥ  ＰＤＣＰレイヤで処理され、言い換えるとＬＴＥ  ＰＤＣＰヘッダが追加され、次にＮＲ  ＲＬＣへ処理のために送信され、言い換えるとＮＲ  ＲＬＣヘッダが追加され、次にＮＲ  ＭＡＣレイヤへ処理のために送信され、言い換えるとＮＲ  ＭＡＣヘッダが追加され、次にＮＲ  ＰＨＹレイヤへ処理のために送信され、言い換えるとＰＨＹヘッダが追加され、最後に端末へＮＲ無線インタフェースを介して送信される。ｄｉｒｅｃｔ  ＲＲＣメッセージをＮＲ  ｇＮＢ自体により転送する機能の実行では、同様に、ＮＲ  ｇＮＢのＲＲＣエンティティにより生成されたＲＲＣメッセージは、先ず、ＮＲ  ＰＤＣＰレイヤで処理され、言い換えるとＮＲ  ＰＤＣＰヘッダが追加され、次にＮＲ  ＲＬＣへ処理のために送信され、言い換えるとＮＲ  ＲＬＣヘッダが追加され、次にＮＲ  ＭＡＣレイヤへ処理のために送信され、言い換えるとＮＲ  ＭＡＣヘッダが追加され、次にＮＲ  ＰＨＹレイヤへ処理のために送信され、言い換えるとＰＨＹヘッダが追加され、最後に端末へＮＲ無線インタフェースを介して送信される。パースを実行するとき、プロトコルレイヤに基づき、端末は、先ず、ＰＨＹヘッダをパースして出し、次に続けてＭＡＣヘッダ、ＲＬＣヘッダ、ＭＡＣヘッダ、及びＰＤＣＰヘッダをパースして出し、最後にＲＲＣメッセージを受信する。
【０２２２】
ＮＲ  ｇＮＢにより端末へ送信されるＲＲＣメッセージの構造は、表１に示され得る。
［表１］
【表１】
0006888099.tif 000002
【０２２３】
ＮＲ  ｇＮＢのＲＲＣエンティティにより生成されたＲＲＣメッセージは、端末へＮＲ無線インタフェースを介して送信される。ＮＲ  ｇＮＢは、指示情報片をＮＲ  ｇＮＢのＮＲ  ＰＤＣＰヘッダに追加し、指示情報は、端末によりＮＲ無線インタフェースを介して受信されたＲＲＣメッセージのソース、つまり、ＲＲＣメッセージを生成した目標ＲＲＣエンティティがＮＲ  ｇＮＢのＲＲＣエンティティ、つまりｄｉｒｅｃｔ  ＲＲＣ機能を実行するエンティティであることを示すために使用される。
【０２２４】
任意で、指示情報とＮＲ  ｇＮＢとの間の対応は、端末に通知される必要がある。例えば、対応は、ＮＲ  ｇＮＢのＲＲＣメッセージを用いて伝達されてよく、及びＮＲ無線インタフェースを介して端末へ送信される。
【０２２５】
ＮＲ無線インタフェースを介して送信されたＲＲＣメッセージを受信した後に、端末のＮＲモジュールは、ＰＨＹヘッダ、ＭＡＣヘッダ、及びＲＬＣヘッダを別個にパースして出した後にＰＤＣＰヘッダをパースして出す。ＰＤＣＰヘッダは、ＬＴＥ  ＰＤＣＰヘッダ又はＮＲ  ＰＤＣＰヘッダのいずれかであってよい。ＰＤＣＰヘッダに含まれる指示情報が、目標ＲＲＣエンティティがＬＴＥ  ｅＮＢに属することを示す場合、ＲＲＣメッセージは、端末のＬＴＥモジュールのＰＤＣＰレイヤに処理のために渡される。ＰＤＣＰヘッダの中の指示情報により示される目標ＲＲＣエンティティがＮＲ  ｇＮＢに属する場合、ＲＲＣメッセージは、端末のＮＲモジュールのＰＤＣＰレイヤに処理のために渡される。
【０２２６】
Ｏｐｔｉｏｎ  ２。ＲＲＣメッセージを伝達するＲＬＣヘッダに含まれる指示情報は、ＲＲＣメッセージを生成した目標ＲＲＣエンティティを示す。
【０２２７】
ＲＲＣ  ｄｉｖｅｒｓｉｔｙ機能では、ＬＴＥ  ＲＲＣエンティティにより生成されたＲＲＣメッセージは、ＬＴＥ  ＰＤＣＰレイヤで処理され、ＮＲ  ＲＬＣレイヤへ処理のために送信され、次に、ＮＲ  ＭＡＣレイヤ及びＮＲ  ＰＨＹレイヤで別個に処理され、端末へＮＲ無線インタフェースを介して送信される。処理がＮＲ  ＲＬＣレイヤで実行されるとき、指示情報片は、ＮＲ  ＲＬＣヘッダに追加されて、区別の目的で、ＲＲＣメッセージがＬＴＥ  ＲＲＣエンティティにより生成されることを示すために使用される。指示情報は任意である。指示情報は、ここで、指示情報が既にＮＲ  ＲＬＣヘッダにｄｉｒｅｃｔ  ＲＲＣ機能の実行中に追加されている場合には、追加されなくてよい。
【０２２８】
ｄｉｒｅｃｔ  ＲＲＣ機能では、ＮＲ  ＲＲＣエンティティにより生成されたＲＲＣメッセージは、ＮＲ  ＰＤＣＰレイヤで処理され、ＮＲ  ＲＬＣレイヤへ処理のために送信され、次に、ＮＲ  ＭＡＣレイヤ及びＮＲ  ＰＨＹレイヤで別個に処理され、端末へＮＲ無線インタフェースを介して送信される。処理がＮＲ  ＲＬＣレイヤで実行されるとき、指示情報片は、ＮＲ  ＲＬＣヘッダに追加されて、区別の目的で、ＲＲＣメッセージがＮＲ  ＲＲＣエンティティにより生成されることを示すために使用される。指示情報は任意である。指示情報は、ここで、指示情報が既にＮＲ  ＲＬＣヘッダにＲＲＣ  ｄｉｖｅｒｓｉｔｙ機能の実行中に追加されている場合には、追加されなくてよい。
【０２２９】
次に、ＮＲ  ｇＮＢは、ＬＴＥ  ｅＮＢのＲＲＣエンティティにより生成されたＬＴＥ  ＲＲＣメッセージ、及びＮＲ  ｇＮＢのＲＲＣエンティティにより生成されたＲＲＣメッセージを、端末へ、ＮＲ無線インタフェースを介して送信する。
【０２３０】
ＮＲ無線インタフェースを介して送信されたＲＲＣメッセージを受信した後に、端末のＮＲモジュールは、ＰＨＹヘッダ及びＭＡＣヘッダを別個にパースして出し、次にＮＲ  ＲＬＣヘッダをパースして出す。ＲＬＣヘッダの中の指示情報により示される目標ＲＲＣエンティティがＬＴＥ  ｅＮＢに属する場合、ＲＲＣメッセージは、端末のＬＴＥモジュールのＰＤＣＰレイヤに処理のために渡される。ＰＤＣＰヘッダの中の指示情報により示される目標ＲＲＣエンティティがＮＲ  ｇＮＢに属する場合、ＲＲＣメッセージは、端末のＮＲモジュールのＰＤＣＰレイヤに処理のために渡される。ＮＲ  ｇＮＢにより端末へ送信されるＲＲＣメッセージの構造は、表１に示される。
【０２３１】
表１のフォーマットによると、ＲＲＣエンティティがＲＲＣメッセージを生成した後に、ＲＲＣメッセージは、ＰＤＣＰレイヤ、ＲＬＣレイヤ、ＭＡＣレイヤ、及びＰＨＹレイヤで別個に処理される。言い換えると、ＰＤＣＰヘッダ、ＲＬＣヘッダ、ＭＡＣヘッダ、及びＰＨＹヘッダが追加され、次に端末へ無線インタフェースを介して送信される。ＲＲＣ  ｄｉｖｅｒｓｉｔｙ機能の実行では、ＬＴＥ  ｅＮＢのＲＲＣエンティティにより生成されたＲＲＣメッセージは、先ず、ＬＴＥ  ＰＤＣＰレイヤで処理され、言い換えるとＬＴＥ  ＰＤＣＰヘッダが追加され、次にＮＲ  ＲＬＣへ処理のために送信され、言い換えるとＮＲ  ＲＬＣヘッダが追加され、次にＮＲ  ＭＡＣレイヤへ処理のために送信され、言い換えるとＮＲ  ＭＡＣヘッダが追加され、次にＮＲ  ＰＨＹレイヤへ処理のために送信され、言い換えるとＰＨＹヘッダが追加され、最後に端末へＮＲ無線インタフェースを介して送信される。ｄｉｒｅｃｔ  ＲＲＣメッセージをＮＲ  ｇＮＢ自体により転送する機能の実行では、同様に、ＮＲ  ｇＮＢのＲＲＣエンティティにより生成されたＲＲＣメッセージは、先ず、ＮＲ  ＰＤＣＰレイヤで処理され、言い換えるとＮＲ  ＰＤＣＰヘッダが追加され、次にＮＲ  ＲＬＣへ処理のために送信され、言い換えるとＮＲ  ＲＬＣヘッダが追加され、次にＮＲ  ＭＡＣレイヤへ処理のために送信され、言い換えるとＮＲ  ＭＡＣヘッダが追加され、次にＮＲ  ＰＨＹレイヤへ処理のために送信され、言い換えるとＰＨＹヘッダが追加され、最後に端末へＮＲ無線インタフェースを介して送信される。パースを実行するとき、プロトコルレイヤに基づき、端末は、先ず、ＰＨＹヘッダをパースして出し、次に続けてＭＡＣヘッダ、ＲＬＣヘッダ、ＭＡＣヘッダ、及びＰＤＣＰヘッダをパースして出し、最後にＲＲＣメッセージを受信する。パース処理中、端末は、ＲＲＣメッセージのソースを、ＮＲ  ＲＬＣの中の指示情報に基づき、又はＰＤＣＰの中の指示情報に基づき、決定する。
【０２３２】
任意で、指示情報に対する対応が、端末に通知される必要がある。例えば、指示情報とＬＴＥ  ｅＮＢとの間の対応、及び指示情報とＮＲ  ｇＮＢとの間の対応は、ＮＲ  ｇＮＢのＲＲＣメッセージ又は別の新たに追加されたメッセージにより伝達されてよく、端末へＮＲ無線インタフェースを介して送信される。これは、本実施形態において限定されない。
【０２３３】
ＮＲ  ＲＲＣメッセージを受信した後に、端末は、ＲＬＣヘッダの中の指示情報を読み取る。ＲＬＣヘッダに含まれる指示情報により示される目標ＲＲＣエンティティがＬＴＥ  ｅＮＢに属する場合、ＮＲ  ＲＲＣメッセージは、端末のＬＴＥモジュールのＰＤＣＰレイヤに処理のために渡される。ＲＬＣヘッダに含まれる指示情報により示される目標ＲＲＣエンティティがＮＲ  ｇＮＢに属する場合、ＮＲ  ＲＲＣメッセージは、端末のＮＲモジュールのＰＤＣＰレイヤに処理のために渡される。
【０２３４】
Ｏｐｔｉｏｎ  ３。新たに追加されたアダプテーションレイヤ（adaptation  layer）に含まれる指示情報は、ＲＲＣメッセージを生成した目標ＲＲＣエンティティを示す。
【０２３５】
アダプテーションレイヤは、ＬＴＥ  ｅＮＢに新たに追加されてよく、アダプテーションレイヤは指示情報を伝達する。代替として、アダプテーションレイヤは、ＮＲ  ｇＮＢに新たに追加されてよく、アダプテーションレイヤは指示情報を伝達する。これは、本実施形態において限定されない。
【０２３６】
アダプテーションレイヤがＬＴＥ  ｅＮＢに新たに追加される場合、アダプテーションレイヤは、ＬＴＥ  ｅＮＢのＰＤＣＰレイヤとＲＬＣレイヤとの間に新たに追加される。構造は表２に示される。
［表２］
【表２】
0006888099.tif 000003
【０２３７】
アダプテーションレイヤがＮＲ  ｇＮＢに新たに追加される場合、アダプテーションレイヤは、ＮＲ  ｇＮＢのＰＤＣＰレイヤとＲＬＣレイヤとの間に新たに追加される。構造は表３に示される。
［表３］
【表３】
0006888099.tif 000004
【０２３８】
アダプテーションレイヤがＬＴＥ  ｅＮＢ側に追加される場合、ＲＲＣ  ｄｉｖｅｒｓｉｔｙ機能では、ＬＴＥ  ＲＲＣエンティティにより生成されたＲＲＣメッセージは、先ずＬＴＥ  ＰＤＣＰレイヤで処理されアダプテーションレイヤへ送信され、次にアダプテーションレイヤで処理されＮＲ  ＲＬＣレイヤへ処理のために送信され、最後に、ＮＲ  ＭＡＣレイヤ及びＮＲ  ＰＨＹレイヤで別個に処理され、端末へＮＲ無線インタフェースを介して送信される。処理がアダプテーションレイヤで実行されるとき、指示情報片は、アダプテーションレイヤのヘッダに追加されて、区別の目的で、ＲＲＣメッセージがＬＴＥ  ＲＲＣエンティティにより生成されることを示すために使用される。ｄｉｒｅｃｔ  ＲＲＣ機能では、ＮＲ  ＲＲＣメッセージが生成された後に、ＮＲ  ＲＲＣメッセージが各プロトコルレイヤで処理されるときに指示情報が追加される必要がない。
【０２３９】
アダプテーションレイヤがＮＲ  ｇＮＢ側に追加される場合、ＲＲＣ  ｄｉｖｅｒｓｉｔｙ機能では、ＬＴＥ  ＲＲＣエンティティにより生成されたＲＲＣメッセージは、先ずＬＴＥ  ＰＤＣＰレイヤで処理されアダプテーションレイヤへ送信され、次にアダプテーションレイヤで処理されＮＲ  ＲＬＣレイヤへ処理のために送信され、最後に、ＮＲ  ＭＡＣレイヤ及びＮＲ  ＰＨＹレイヤで別個に処理され、端末へＮＲ無線インタフェースを介して送信される。処理がアダプテーションレイヤで実行されるとき、指示情報片は、アダプテーションレイヤのヘッダに追加されて、区別の目的で、ＲＲＣメッセージがＬＴＥ  ＲＲＣエンティティにより生成されることを示すために使用される。処理がアダプテーションレイヤで実行されるとき、指示情報は、アダプテーションレイヤのヘッダに追加されてよく、ＲＲＣメッセージがＬＴＥ  ＲＲＣエンティティにより生成されることを示すために使用される。ｄｉｒｅｃｔ  ＲＲＣ機能では、ＮＲ  ＲＲＣエンティティにより生成されたＲＲＣメッセージは、先ずＮＲ  ＰＤＣＰレイヤで処理され、アダプテーションレイヤへ処理のために送信され、次に、アダプテーションレイヤで処理され、ＮＲ  ＲＬＣレイヤへ処理のために送信され、最後に、ＮＲ  ＭＡＣレイヤ及びＮＲ  ＰＨＹレイヤで別個に処理され、端末へＮＲ無線インタフェースを介して送信される。処理がアダプテーションレイヤで実行されるとき、指示情報片は、アダプテーションレイヤのヘッダに追加されて、区別の目的で、ＲＲＣメッセージがＮＲ  ＲＲＣエンティティにより生成されることを示すために使用される。指示情報は任意である。指示情報は、ここで、指示情報が既にアダプテーションレイヤのヘッダにＲＲＣ  ｄｉｖｅｒｓｉｔｙ機能の実行中に追加されている場合には、追加されなくてよい。
【０２４０】
任意で、指示情報に対する対応は端末に通知される必要があり、指示情報とＬＴＥ  ｅＮＢとの間の対応は端末へＬＴＥ  ｅＮＢのＲＲＣメッセージを用いてＬＴＥ無線インタフェースを介して送信されてよく、指示情報とＮＲ  ｇＮＢとの間の対応は端末へＮＲ  ｇＮＢのＲＲＣメッセージを用いてＮＲ無線インタフェースを介して送信されてよい。
【０２４１】
ＮＲ  ＲＲＣメッセージを受信した後に、端末は、ＰＨＹヘッダ、ＭＡＣヘッダ、及びＲＬＣヘッダを別個にパースして出した後に新たに追加されたアダプテーションレイヤのヘッダをパースして出す。新たに追加されたアダプテーションレイヤのヘッダに含まれる指示情報が、目標ＲＲＣエンティティがＬＴＥ  ｅＮＢに属することを示す場合、ＲＲＣメッセージは、端末のＬＴＥモジュールのＰＤＣＰレイヤに処理のために渡される。或いは、新たに追加されたアダプテーションレイヤに含まれる指示情報が、目標ＲＲＣエンティティがＮＲ  ｇＮＢに属することを示す場合、ＲＲＣメッセージは、端末のＮＲモジュールのＰＤＣＰレイヤに処理のために渡される。
【０２４２】
区別方法２。ＬＴＥ  ＲＲＣメッセージは、ＮＲ無線インタフェースのＲＲＣコンテナ（RRC  container）にカプセル化され、端末へ、ＮＲ  ｇＮＢにより生成されたＳＲＢを用いて送信される。
【０２４３】
ＮＲ  ｇＮＢは、ＲＲＣ  ｃｏｎｔａｉｎｅｒを用いて、ＬＴＥ  ＲＲＣエンティティにより生成されたＲＲＣメッセージをカプセル化し、ＲＲＣメッセージを端末へＮＲ無線インタフェースを介して送信する。ＮＲ  ＲＲＣメッセージを受信した後に、端末は、ＲＲＣメッセージの中のｃｏｎｔａｉｎｅｒの内容を識別する。ＲＲＣ  ｃｏｎｔａｉｎｅｒの中のＲＲＣメッセージがＬＴＥ  ＲＲＣエンティティにより生成されたＲＲＣメッセージであると識別された場合、目標ＲＲＣエンティティはＬＴＥ  ｅＮＢに属すると決定され、ＲＲＣメッセージは、端末のＬＴＥモジュールのＰＤＣＰレイヤに処理のために渡される。
【０２４４】
区別方法３。ＬＴＥ  ＲＲＣメッセージ及びＮＲ  ＲＲＣメッセージは、ＮＲ  ｇＮＢにより端末へ、異なる論理チャネルを用いて送信される。
【０２４５】
本方法では、ＮＲ  ｇＮＢは２つの異なるＳＲＢを確立し、ＳＲＢの構成情報と相応してＲＲＣメッセージを生成するＲＲＣエンティティとの間の対応は、端末へ予め送信される必要がある。例えば、ＮＲ  ｇＮＢのＲＲＣエンティティにより生成されたＲＲＣメッセージは、端末へ、一方のＳＲＢを用いてＮＲ無線インタフェースを介して送信され、ＬＴＥ  ｅＮＢのＲＲＣエンティティにより生成されたＲＲＣメッセージは、端末へ、他方のＳＲＢを用いてＮＲ無線インタフェースを介して送信される。ＲＲＣメッセージをＮＲ無線インタフェースを介して受信した後に、端末は、異なるＳＲＢの構成情報に基づき、受信したＲＲＣメッセージがＬＴＥ  ｅＮＢのＲＲＣエンティティ又はＮＲ  ｇＮＢのＲＲＣエンティティに属するかを識別する。ＳＲＢの構成情報を送信する方法は、ＮＲ  ｇＮＢ追加処理の中で実行されてよい。例えば、２つのＳＲＢ構成を達成するために、ＮＲ  ｇＮＢは、異なるＳＲＢ構成を生成し、関連構成情報をＬＴＥ  ｅＮＢへＳｅＮＢ  ａｄｄｉｔｉｏｎ  ｒｅｑｕｅｓｔ  ＡＣＫメッセージを用いて送信し、ＬＴＥ  ｅＮＢは、関連構成情報を端末へＬＴＥ  ｅＮＢのＲＲＣメッセージを用いて送信する。任意で、ＳＲＢの構成情報は、また、ＵＥへＬＴＥ  ｅＮＢ又はＮＲ  ｇＮＢにより別の方法で、例えば新しいＲＲＣメッセージを用いて、送信されてよい。これは、本発明において限定されない。
【０２４６】
ステップ１７１０。ＲＲＣメッセージのソースを指示情報に基づき決定した後に、端末のＮＲモジュールは、受信したＲＲＣメッセージを対応するＲＲＣエンティティに処理のために渡す。
【０２４７】
例えば、ＲＲＣメッセージがＬＴＥ  ＲＲＣエンティティにより生成された場合、端末により受信されたＲＲＣメッセージは、端末のＬＴＥモジュールのＰＤＣＰレイヤに処理のために渡される。或いは、ＲＲＣメッセージがＮＲ  ｇＮＢのＲＲＣエンティティにより生成された場合、端末により受信されたＲＲＣメッセージは、端末のＮＲモジュールのＰＤＣＰレイヤに処理のために渡される。
【０２４８】
本発明の別の実施形態では、端末により受信されたデータがＲＬＣレイヤで分割される場合、指示情報はＲＬＣレイヤ、ＭＡＣレイヤ、又は新たに追加されたアダプテーションレイヤに追加されてよい（アダプテーションレイヤは、ＮＲ  ｇＮＢのＲＬＣプロトコルレイヤとＭＡＣプロトコルレイヤとの間に追加される）。
【０２４９】
ＬＴＥ  ｅＮＢがアンカー基地局であり且つＮＲ  ｇＮＢが２次基地局である特定の処理が、前述の実施形態において記載された。前述の実施形態に基づき、ＮＲのＮＲ  ｇＮＢが２次基地局としてサービスするときに使用されるｄｉｒｅｃｔ  ＲＲＣメッセージの送信が、ＲＲＣ  ｄｉｖｅｒｓｉｔｙ機能も有する場合、言い換えると、ｄｉｒｅｃｔ  ＲＲＣメッセージがＮＲ  ｇＮＢ及びＬＴＥ  ｅＮＢの両方を用いて端末へ送信される場合、ＬＴＥ  ＲＲＣメッセージがＬＴＥ  ｅＮＢによっても端末へ送信され、２つのメッセージが端末へ１つのＳＲＢを用いて送信され得るので、端末の対応するＬＴＥモジュールは、１つのＳＲＢにより伝達されるＲＲＣメッセージを受信する。ＲＲＣメッセージのソースをどのように区別するかのソリューションは、前述の実施形態におけるものと同様である。
【０２５０】
本発明の別の実施形態では、ＮＲ高／低周波数シナリオ、具体的に言うと、ＮＲの低周波数基地局がアンカー基地局（ＭｇＮＢ）としてサービスし、ＮＲの高周波数基地局が２次基地局（ＳｇＮＢ）としてサービスする際に、メッセージソースをどのように区別するかのソリューションも、前述の実施形態におけるものと同様である。
【０２５１】
実装中、前述の方法の少なくとも１つのステップは、プロセッサ内のハードウェアの集積論理回路を用いて実行されてよい。或いは、集積論理回路は、少なくとも１つのステップを実行するためにソフトウェアの形式の命令により駆動されてよい。したがって、通信機器はチップ又はチップセットであってよい。本願の実施形態を参照して開示された方法のステップは、ハードウェアプロセッサにより直接実行されてよく、又はプロセッサ内のハードウェア及びソフトウェアモジュールの組合せを用いることにより実行されてよい。ソフトウェアモジュールは、ランダムアクセスメモリ、フラッシュメモリ、読み出し専用メモリ、プログラマブル読み出し専用メモリ、電気的消去可能プログラマブルメモリ、又はレジスタのような、当分野の成熟した記憶媒体の中に配置されてよい。記憶媒体はメモリ内に配置され、プロセッサはメモリ内の情報を読み出し、プロセッサのハードウェアと組み合わせて、前述の方法のステップを実施する。繰り返しを回避するために、詳細はここに再び記載されない。
【０２５２】
前述の処理のシーケンス番号は、本願の種々の実施形態において実行順を意味しないことが理解されるべきである。処理の実行順は、機能及び処理の内部ロジックに従い決定されるべきであり、本願の実施形態の実装過程に対する制限として考えられるべきではない。
【０２５３】
当業者は、本願明細書に開示の実施形態で記載された例と組み合わせて、ユニット及びアルゴリズムのステップが、電子ハードウェア又はコンピュータソフトウェア及び電子ハードウェアの組み合わせにより実施され得ることを認識できる。機能がハードウェア又はソフトウェアにより実行されるかは、技術的ソリューションの特定の適用及び設計制約条件に依存する。当業者は、各々の特定の適用について記載の機能を実施するために異なる方法を使用できるが、実装が本発明の範囲を超えると考えられるべきではない。
【０２５４】
便宜上及び簡潔な説明のために、前述のシステム、装置、及びユニットの詳細な動作処理については、前述の方法の実施形態における対応する処理を参照してよく、詳細はここで再び記載されないことが、当業者により明らかに理解され得る。
【０２５５】
本願において提供される幾つかの実施形態では、開示のシステム、機器、及び方法は他の方法で実装されてよいことが理解されるべきである。例えば、記載した機器の実施形態は単なる一例である。例えば、ユニットの分割は、単なる論理的機能の分割であり、実際の実装では他の分割であってよい。例えば、複数のユニット又はコンポーネントは、別のシステムに結合又は統合されてよい。或いは、幾つかの機能は無視されるか又は実行されなくてよい。さらに、表示した又は議論した相互結合又は直接結合又は通信接続は、幾つかのインタフェースを介して実装されてよい。機器又はユニット間の間接結合又は通信接続は、電子的、機械的又は他の形式で実装されてよい。
【０２５６】
別個の部分として記載されたユニットは、物理的に別個であってよく又はそうでなくてよい。並びに、ユニットとして表示された部分は、物理的なユニットであってよく又はそうでなくてよく、１カ所に置かれてよく又は複数のネットワークユニットに分散されてよい。一部又は全部のユニットは、実施形態のソリューションの目的を達成するために実際の要件に基づき選択されてよい。
【０２５７】
さらに、本願の実施形態における機能ユニットは、１つの処理ユニットに統合されてよく、或いは各ユニットが物理的に単独で存在してよく、或いは２以上のユニットが１つのユニットに統合される。
【０２５８】
機能がソフトウェア機能ユニットの形式で実装され、独立した製品として販売され又は使用されるとき、機能は、コンピュータ可読記憶媒体に格納されてよい。このような理解に基づき、本願の基本的技術的ソリューション、又は従来技術に貢献する部分、又は一部の技術的ソリューションは、ソフトウェアプロダクトの形式で実施されてよい。コンピュータソフトウェアプロダクトは、記憶媒体に格納され、コンピュータ装置（パーソナルコンピュータ、サーバ、ネットワーク装置、等であってよい）に、本発明の実施形態で記載された方法のステップの全部又は一部を実行するよう指示する複数の命令を含む。前述の記憶媒体は、USBフラッシュドライブ、取り外し可能ハードディスク、読み出し専用メモリ（ROM、Read−Only  Memory）、ランダムアクセスメモリ（RAM、Random  Access  Memory）、磁気ディスク又は光ディスクのような、プログラムコードを格納可能な任意の媒体を含む。
【０２５９】
上述の説明は、本願の単なる特定の実装であり、本願の保護範囲を制限することを意図しない。本発明で開示された技術範囲内にある、当業者により直ちに考案される任意の変形又は置換は、本願の保護範囲に含まれるべきである。したがって、本願の保護範囲は、請求項の保護範囲に従うべきである。
【図１】
0006888099.tif 000005
【図２】
0006888099.tif 000006
【図３】
0006888099.tif 000007
【図４】
0006888099.tif 000008
【図５】
0006888099.tif 000009
【図６】
0006888099.tif 000010
【図７】
0006888099.tif 000011
【図８】
0006888099.tif 000012
【図９】
0006888099.tif 000013
【図１０】
0006888099.tif 000014
【図１１】
0006888099.tif 000015
【図１２】
0006888099.tif 000016
【図１３】
0006888099.tif 000017
【図１４】
0006888099.tif 000018
【図１５】
0006888099.tif 000019
【図１６】
0006888099.tif 000020
【図１７】
0006888099.tif 000021